(57)【要約】  位相同期を高精度に確立し得るようにした信号同期送信システム、光変調器用同期駆動システム、信号同期送信方法及びそのプログラムを提供することができる。  複数のデータを位相同期して送信する一方と他方の各送信処理デバイスとしての光位相変調回路（２６Ａ，２６Ｂ）と、この各送信動作を同期制御する一方と他方の同期駆動手段（３３Ａ，３３Ｂ）とを備え、この各同期駆動手段（３３Ａ，３３Ｂ）が、前記各光位相変調回路（２６Ａ，２６Ｂ）の動作タイミングを設定する基準クロックを予め設定された所定の経路を介してそれぞれ外部入力しこれを位相補間処理して同期設定クロックを生成する位相補間回路（４２，７２）と、この生成された同期設定クロックをタイミングクロックとしこれに基づいて各光位相変調回路（２６Ａ，２６Ｂ）のデータ送信動作のタイミングを送信用のデータ信号と共に同期設定する同期設定回路（６０，７６）とを、それぞれ備える。
2012157182.tif 000002
【特許請求の範囲】
【請求項１】
複数のデータを位相同期して送信する一方と他方の各送信処理デバイスと、
この各送信処理デバイスに対してその各送信動作を同期制御する一方と他方の同期駆動手段とを具備し、
前記一方と他方の各同期駆動手段は、
前記各送信処理デバイスの動作タイミングを設定する基準クロックを、それぞれ一方又は他方の経路を介して外部入力すると共に、これを位相補間処理して同期設定クロックを生成する位相補間回路と、
この同期設定クロックをタイミングクロックとして入力すると共に、これに基づいて、対応する前記各信号処理デバイスのデータ送信動作のタイミングを、別に入力される送信用のデータ信号を介して同期設定する同期設定回路とを、それぞれ有し、
前記各同期駆動手段は、前記同期設定クロックの生成に先立って、前記基準クロックを、転送経路を介してそれぞれ他の同期駆動手段へ転送クロックとして送り込むと共に、
前記各位相補間回路は、前記同期設定クロックの生成に際し、それぞれ前記基準クロックと前記他の同期駆動手段から送られてくる転送クロックとの位相差の中心の中間位相を演算すると共に、当該中間位相に基づいて前記同期設定クロックを生成する機能を備えている信号同期送信システム。
【請求項２】
請求項１に記載の信号同期送信システムにおいて、
前記一方と他方の各送信処理デバイスを、それぞれ一定の共通光源からのレーザ光を送信用の前記データ信号に基づいて変調した後にこれを合成して外部出力するように設定された一方と他方の各光位相変調回路で構成すると共に、
前記各同期設定回路は、前記位相補間回路にから出力される前記タイミングクロックのタイミングで稼働し、送信用の前記データ信号を前記光位相変調回路の駆動信号である電圧パルスに変換すると共に、これを対応する前記一方又は他方の各位相補間回路の各アームに送り込む機能を備えていることを特徴とした信号同期送信システム。
【請求項３】
請求項１又は２に記載の信号同期送信システムにおいて、
前記各同期駆動手段の位相補間回路と同期設定回路との間に、位相同期調整回路をそれぞれ設けると共に、
前記タイミングクロックの特定に際しては、前記各位相同期調整回路が、前記外部入力される各基準クロックを前記位相補間回路から出力される中間位相の同期設定クロックに同期させるように調整すると共に、この同期調整された基準クロックを前記タイミングクロックとして対応する前記各同期設定回路に送り込むように構成したことを特徴とする信号同期送信システム。
【請求項４】
請求項１又は２に記載の信号同期送信システムにおいて、
前記各同期駆動手段に、当該自己の同期駆動手段に取り込んだ前記基準クロックを前記転送経路を介して他の同期駆動手段の前記位相補間回路に転送クロックとして交互に送り込む切換えスイッチを、それぞれ装備したことを特徴とした信号同期送信システム。
【請求項５】
請求項４に記載の信号同期送信システムにおいて、
前記各切換えスイッチを、前記各同期駆動手段相互間で前記転送経路を介して連通した状態に設定すると共に同期切り換え動作が可能な状態に配線し、
この各切換えスイッチに、当該各切換えスイッチの動作を同一のタイミングで同時に切り換え制御する切換え制御手段を併設したことを特徴とする信号同期送信システム。
【請求項６】
請求項２に記載の信号同期送信システムにおいて、
前記各同期設定回路は、前記タイミングクロックに従って作動し外部入力される送信用のデータ信号を光の位相０と光の位相πに対応する電圧パルスに変換して出力するＤ型フリップフロップと、この各電圧パルスを対応する前記一の光位相変調回路の各アームに個別に印加する二つのドライバとを備えていることを特徴とした信号同期送信システム。
【請求項７】
複数のデータを位相同期して送信する一方と他方の各光位相変調回路に対してその各送信動作を同期制御する一方と他方の同期駆動手段を具備し、
前記一方と他方の各同期駆動手段は、
前記各光位相変調回路の動作タイミングを設定するための基準クロックを、それぞれ一方又は他方の経路を介してそれぞれ外部入力すると共に、これを位相補間処理して同期設定クロックを生成する位相補間回路と、
この生成された同期設定クロックをタイミングクロックとして入力すると共に、このタイミングクロックに基づいて、対応する前記各光位相変調回路におけるデータ送信動作のタイミングを、別に入力された送信用のデータ信号を介して同期設定する同期設定回路とを、それぞれ備え、
前記各同期駆動手段は、前記同期設定クロックの生成に先立って前記基準クロックを予め設定された転送経路を介してそれぞれ前記他の同期駆動手段へ転送クロックとして送り出す機能を有し、
前記各位相補間回路は、前記同期設定クロックの生成に際し、それぞれ前記基準クロックと前記他の同期駆動手段から送られてくる前記転送クロックとの位相差の中心の中間位相を演算して、その中間位相に基づいて前記同期設定クロックを生成する機能を備えていることを特徴とした光変調器用同期駆動システム。
【請求項８】
複数のデータを位相同期して送信する一方と他方の各送信処理デバイスの動作タイミングを設定するための基準クロックを、前記各送信処理デバイスに対してその各送信動作を同期制御する一方と他方の各同期駆動手段が予め設定された一方と他方の経路を介してそれぞれ外部入力し、
この入力された基準クロックを、前記各同期駆動手段が備えている位相補間回路が位相補間処理して同期設定クロックを生成し、
この生成された同期設定クロックをタイミングクロックとして入力し、これに基づいて対応する前記各送信処理デバイスのデータ送信動作のタイミングを同期設定すると共に、この同期設定に際しては、外部入力される送信用のデータ信号を前記送信動作のタイミングでデバイス駆動信号として対応する前記各送信処理デバイスに送り込むようにし、これらの各動作手順を前記各同期駆動手段の同期設定回路が実行し、
前記位相補間回路により成される前記同期設定クロックの生成に先立って、
前記各同期駆動手段に取り込まれた前記基準クロックを転送クロックとして予め設定された転送経路を介して相互に前記他の同期駆動手段へ送り込む基準クロックの転送を、前記各同期駆動手段が実行し、
前記同期設定クロックの生成時に実行される前記位相補間処理に際しては、前記基準クロックと前記他の同期駆動手段から送られてくる転送クロックとの位相差の中心の中間位相を前記各位相補間回路が演算すると共に当該中間位相に基づいて、前記各位相補間回路が前記同期設定クロックをそれぞれ生成するようにしたことを特徴とする信号同期送信システムの信号同期送信方法。
【請求項９】
請求項８に記載の信号同期送信方法において、
前記一方と他方の各送信処理デバイスを、それぞれ共通のレーザ光源から発するレーザ光を変調した後にこれを合成して外部出力するように設定された一方と他方の各光位相変調回路とすると共に、前記一方と他方の各光位相変調回路に対する変調駆動信号であるデータ信号の同期設定に際しては、
前記各同期駆動手段における各位相補間回路からの前記タイミングクロックのタイミングで稼働し、外部入力される送信用のデータ信号を前記各光変調回路用の電圧パルスに変換し、しかる後、これを対応する前記一方又は他方の光変調器の各アームに送り込む動作を、前記各同期設定回路が実行するようにしたことを特徴とする信号同期送信方法。
【請求項１０】
複数のデータを位相同期して送信する一方と他方の各送信処理デバイスの動作タイミングを設定する基準クロックを予め設定された一方と他方の経路を介して各送信処理デバイスに外部入力し前記各送信処理デバイスに対してその各送信動作を同期制御する一方と他方の各同期駆動手段側で保持する基準クロック入力処理機能、
この入力された基準クロックを位相補間処理して、前記各送信処理デバイス用の同期設定クロックを対応する送信処理デバイス毎に生成し、これを前記一方と他方の各同期駆動手段側で保持する同期設定クロック生成処理機能、
およびこの生成された各同期設定クロックをタイミングクロックとして特定し、これに基づいて対応する前記各送信処理デバイスのデータ送信動作のタイミングを同期設定すると共に、別に入力される送信用のデータ信号をデバイス駆動信号として前記データ送信動作のタイミングで対応する前記各送信処理デバイスに各別に送り込むデータ信号同期設定処理機能、を設け、
前記タイミングクロック生成処理機能に、
予め前記一方と他方の経路を介してそれぞれ別々に取り込んだ前記基準クロックを、予め設定された転送経路を介して転送クロックとして相互に他の送信処理デバイス側へ送り込む基準クロック転送処理機能、を併設し、
前記同期設定クロック生成処理機能では、
当該同期設定クロック生成処理機能の実行時に成される前記各位相補間処理に際しては、前記自己の基準クロックと前記他の送信処理デバイス側から送られてくる前記転送クロックとの位相差の中心の中間位相を演算すると共に、当該中間位相に基づいて前記同期設定クロックを生成するようにし、
これらの各処理機能を、前記一方と他方の各同期駆動手段が備えているコンピュータにそれぞれ実現させるようにしたこと特徴とする信号同期送信プログラムが格納された非一時的なコンピュータ記録媒体。
【発明の詳細な説明】
【技術分野】
【０００１】
本発明は、信号同期送信システム、光変調器用同期駆動システム、信号同期送信方法及びそのプログラムに係り、特に、複数のデータを位相同期して送信する一方と他方の送信処理デバイス間で当該複数データの同期送信を有効に成し得る光変調器用同期駆動システム、信号同期送信方法及びそのプログラムが格納された非一時的なコンピュータ可読媒体に関する。
【背景技術】
【０００２】
近年、インターネット接続サービスや映像配信サービス等の広帯域マルチメディア通信サービスが利用者に提供されて、これらサービスの需要が急激に増加している。これに伴って、大都市間を光ファイバ伝送路で結ぶ幹線系の通信システムや都市間を光ファイバ伝送路で結ぶメトロ系の通信システムでは、より長距離の通信に対応し、大容量の情報伝送ができ、高信頼な高密度光ファイバ通信システムの導入が急速に進んでいる。また、加入者系通信システムにおいても光ファイバ・アクセス・サービスの普及が急速に進んでいる。【０００３】
こうした光ファイバ通信システムでは、光ファイバを敷設するためのコストを低減することや、光ファイバ１本当たりの伝送帯域利用効率を高めるという観点から、複数の異なる波長の信号光を多重化して伝送する波長分割多重（ＷＤＭ：Wave length Division Multiplexing ）技術が広く用いられている。今後、広帯域マルチメディア通信サービスはますます発展を遂げることが予想され、それに対応するために光ファイバ通信システムの伝送速度（データレート）を向上することがより一層望まれている。【０００４】
データレートを上げる方法として、シンボルレート（変調速度）を上げる方法が考えられる。しかし、単純にシンボルレートを上げると、光ファイバにおける許容残留分散量がシンボルレートの２乗に反比例することから、光伝送路の波長分散に対する耐力が著しく低下するという問題がある。また、電気信号処理を高速化することが必要となって、アナログ電気部品のコストや開発の難易度が増加するという問題が発生する。したがって、光ファイバ通信システムを構成するデバイス等の性能面から、現在主流となりつつある４０〔ＧHz〕を超えるシンボルレートにすることは容易ではない。【０００５】
このような問題に対応するため、１シンボルあたりのビット数を上げる多値化で光ファイバ通信システムの大容量化を実現している。この多値化を実現する方式として、例えば、１シンボルに２ビットを割り当てるＱＰＳＫ（Quadrature Phase Shift Keying ：４位相変移変調）方式や、１シンボルに４ビットを割り当てる１６ＱＡＭ（Quadrature amplitude modulation ：直交位相振幅変調）方式などが知られている。【０００６】
これらの多値変調を実現するためには、例えば、直交する光電界成分（I 信号及びQ 信号）を独立して生成可能な光変調器が用いられる。この光変調器は、マッハ・ツェンダ（ＭＺ：Mach-Zehnder）位相変調器を２個並列接続した構成により、２つの信号光を個々のマッハ・ツェンダ位相変調器に導いてＱＰＳＫ方式で変調することができる（特許文献１参照）。【０００７】
また、位相変調器を駆動する電極を２つ備える２電極マッハ・ツェンダ型変調器（ＤＤＭＺＭ：Dual Drive Mach-Zehnder Modulator ）を用いて多値変調を実現することが考えられている（特許文献２参照）。２電極マッハ・ツェンダ型変調器はプッシュプル型光変調器として通常の光送受信器に広く適用されている光部品であるのでコストの削減が図られる。【０００８】
いずれの方法でも変調器の動作を制御する制御回路は、変調器を駆動するための２つの駆動信号をそれぞれ生成する個別の駆動回路を備えると共に、それらの駆動回路間のタイミングスキューを調整し、各駆動回路の動作を同期させることが重要となる。【０００９】
また、プッシュプル型光変調器を駆動するための２つの差動データ信号（Ｉ信号及びＱ信号）のスキューバランスをとるために、駆動回路にて再生されたクロック信号をそれぞれ減衰する減衰器と、タイミング再生を行う再生回路に入力するクロック信号を減衰する減衰器とを設けて、これら減衰器に同じ構成の素子を使用し、またクロック信号に対する遅延時間もそれぞれ同じ時間であるものを使用することが提案されている（特許文献３参照）。【００１０】
図１０にその一例を示す。この図１０において、駆動信号出力回路１００は、二つの光位相変調回路２６Ａ，２６Ｂを備えたＤＰＳＫ（Differential Phase Shift Keying）光変調器２６を変調駆動するための基準クロック（同期信号）Ｃ及び変調用のデータ信号Ｄ１，Ｄ２を出力するように構成されている。ここで、基準クロックＣは、基準クロックＣ１，Ｃ２に分岐されて送り込まれ、これにより、各光位相変調回路２６Ａ，２６Ｂに対応して設置された各再生駆動回路１００Ａ，１００Ｂの駆動時のタイミングが個別に同期設定されるようになっている。【００１１】
ここで、上記各再生駆動回路１００Ａ，１００Ｂとしては、それぞれＤ型フリップフロップ回路が使用されている。そして、基準信号クロックＣ１，Ｃ２のタイミングで、それぞれが二つの駆動信号再生出力し、この再生された各二つの駆動信号によって位相変調器２６Ａ，２６Ｂが変調駆動される。符号２８は位相器を示し、符号６２，６４及び７８，８０はそれぞれ位相変調器２６ａ，２６ｂ用のドライバ回路を示し、符号６２ａ，６４ａ及び７８ａ，８０ａはそれぞれ振幅調整用の減衰器を示す。
【先行技術文献】
【特許文献】
【００１２】
【特許文献１】特表２００４−５１６７４３号公報
【特許文献２】特開２０１０−１６６４７６号公報
【特許文献３】再特ＷＯ２００７／０８８６３６号公報
【発明の概要】
【発明が解決しようとする課題】
【００１３】
しかしながら、上述した特許文献３に開示された光変調器用の再生駆動回路おいては、実際上、独立した複数の駆動回路をモジュールや回路基板上に実装して構成する必要がある。例えばニオブ酸リチウム（LiNbO ３   ：ＬＮ）導波路型変調器を駆動する場合、その変調器のサイズは数センチメートルにも及ぶこともあるので、単一の駆動回路を含む集積回路（ＬＳＩ）によって変調器を制御することは困難であり、この結果、独立した個別の集積回路を変調器に近接してそれぞれ実装する必要がある。【００１４】
つまり、クロック発生回路から出力されるタイミングクロックを、数センチメートルの長さに及ぶトランスミッションラインを介して２つの独立した集積回路へ供給する必要がある。このような場合、クロック発生回路で発生したタイミングクロックを、二つに分岐したトランスミッションラインを介して各集積回路へ供給することになる。しかし、二系統に分岐された各タイミングクロックが各集積回路に入力される入力タイミングは、分岐した各トランスミッションラインの僅かな長さの違いに起因してずれが生じ、タイミングスキューが発生するという問題があった。たとえクロック発生回路から各集積回路までの配線距離をそろえて設計したとしても、回路基板の製造上のばらつきに起因してトランスミッションラインの長さが異なることが十分に考えられる。【００１５】
即ち、二系統のトランスミッションラインの長さが互いに異なると、変調器を駆動するための駆動信号を生成する際の基準となる各タイミングクロックにタイミングスキューが発生する。このようなタイミングスキューが発生しているタイミングクロックから駆動信号をそれぞれ生成すると、光変調器では、各光信号（Ｉ信号及びＱ信号）の強度がアンバランスになり、Ｉ信号及びＱ信号を光結合（合波）することで得られる位相変調信号の精度が著しく低下する。この位相変調信号の精度が低下すると、伝送された光信号を受信する受信器側にて光信号の位相を検出する際に誤検出してしまう可能性が著しく高くなって、通信品質が悪化する。【００１６】
上述した特許文献３では、ＤＫＰＳＫ光変調器から出力される光信号をサンプリングオシロスコープによってモニタし、その光信号の波形を確認しながら可変減衰器の減衰量及び可変位相器の位相シフト量を調整することにより、実機で使用すべき減衰器の減衰量及び位相器の位相シフト量を決定し、決定した減衰量の減衰器及び位相シフト量の位相器を実機で用いることで、光変調器から出力される光信号の精度を高めることを提案されている。しかしながら、サンプリングオシロスコープを用いたフィードバックは実際には困難な作業である。【００１７】
〔発明の目的〕
本発明は、このような関連技術の有する課題を解決するために成されたもので、複数の回路にて高精度に位相同期を確立することのできる信号同期送信システム、光変調器用同期駆動システム、信号同期送信方法及びそのプログラムが格納された非一時的なコンピュータ可読媒体を提供することを、その目的とする。
【課題を解決するための手段】
【００１８】
上記目的を達成するため、本発明に係る信号同期送信システムは、複数のデータを位相同期して送信する一方と他方の各送信処理デバイスと、この各送信処理デバイスに対してその各送信動作を同期制御する一方と他方の同期駆動手段とを備えている。【００１９】
そして、前記一方と他方の各同期駆動手段が、前記各送信処理デバイスの動作タイミングを設定する基準クロックを予め設定された一方と他方の経路を介してそれぞれ外部入力すると共にこれを位相補間処理して同期設定クロックを生成する位相補間回路と、この同期設定クロックをタイミングクロックとして入力すると共にこれに基づいて対応する前記各送信処理デバイスのデータ送信動作のタイミングを別に入力される送信用のデータ信号を介して同期設定する同期設定回路とを、それぞれ備えている。【００２０】
更に、上記各同期駆動手段は、取り込んだ前記基準クロックを予め設定された転送経路を介してそれぞれ前記他の同期駆動手段へ転送クロックとして送り込む。
前記位相補間処理による前記同期設定クロックの生成に際しては、前記各位相補間回路は、それぞれ前記基準クロックと前記他の同期駆動手段から送られてくる転送クロックとの位相差の中心の中間位相を演算し当該中間位相に基づいて前記同期設定クロックを生成する機能を備えていることを特徴とする。【００２１】
また、上記目的を達成するため、本発明に係る光変調器用同期駆動システムは、複数のデータを位相同期して送信する一方と他方の各光変調器に対してその各送信動作を同期制御する一方と他方の同期駆動手段を備えている。【００２２】
そして、前記一方と他方の各同期駆動手段は、前記各光変調器の動作タイミングを設定するための基準クロックを、予め設定された一方と他方の経路を介してそれぞれ外部入力すると共に、これを位相補間処理して同期設定クロックを生成する位相補間回路と、この生成された同期設定クロックをタイミングクロックとして入力し、このタイミングクロックに基づいて、対応する前記各光変調器におけるデータ送信動作のタイミングを、別に入力された送信用のデータ信号を介して同期設定する同期設定回路とを、それぞれ備えている。【００２３】
更に、前記各同期駆動手段は、取り込んだ前記基準クロックを予め設定された転送経路を介してそれぞれ前記他の同期駆動手段へ転送クロックとして送り出す機能を有する。
前記位相補間処理による前記同期設定信号の生成に際しては、前記各位相補間回路は、それぞれ前記基準クロックと前記他の同期駆動手段から送られてくる前記転送クロックとの位相差の中心の中間位相を演算してその中間位相に基づいて前記同期設定クロックを生成する機能を備えていることを特徴とする。【００２４】
更に、上記目的を達成するため、本発明に係る信号同期送信方法は、複数のデータを位相同期して送信する一方と他方の各送信処理デバイスと、この各送信処理デバイスに対してその各送信動作を同期制御する一方と他方の同期駆動手段とを備えた信号同期送信システムにあって、
各送信処理デバイスの動作タイミングを設定するための基準クロックを、前記一方と他方の各同期駆動手段が予め設定された一方と他方の経路を介して、それぞれ外部入力し、
この入力された基準クロックを、前記各同期駆動手段が備えている位相補間回路が位相補間処理して同期設定クロックを生成し、
この生成された同期設定クロックをタイミングクロックとして入力し、これに基づいて対応する前記各送信処理デバイスのデータ送信動作のタイミングを同期設定すると共に、この同期設定に際しては、外部入力される送信用のデータ信号を前記送信動作のタイミングでデバイス駆動信号として対応する前記各送信処理デバイス毎に送り込むようにし、これらの各動作手順を前記各同期駆動手段の同期設定回路が実行し、
前記位相補間回路により成される前記同期設定クロックの生成に先立って、
前記各同期駆動手段に取り込まれた前記基準クロックを転送クロックとして予め設定された転送経路を介して相互に前記他の同期駆動手段へ送り込む基準クロックの転送を、前記各同期駆動手段が実行し、
前記同期設定クロックの生成時に実行される前記位相補間処理に際しては、前記基準クロックと前記他の同期駆動手段から送られてくる転送クロックとの位相差の中心の中間位相を前記各位相補間回路が演算すると共に当該中間位相に基づいて、前記各位相補間回路が前記同期設定クロックをそれぞれ生成するようにしたことを特徴とする。【００２５】
更に又、上記目的を達成するため、本発明に係る信号同期送信プログラムが格納された非一時的なコンピュータ可読媒体は、複数のデータを位相同期して送信する一方と他方の各送信処理デバイスと、この各送信処理デバイスに対してその各送信動作を同期制御する一方と他方の同期駆動手段とを備えた信号同期送信システムにあって、
前記各送信処理デバイスの動作タイミングを設定する基準クロックを予め設定された一方と他方の経路を介して各送信処理デバイス毎に外部入力し前記一方と他方の各同期駆動手段側で保持する基準クロック入力処理機能、
この入力された基準クロックを位相補間処理して前記各送信処理デバイス用の同期設定クロックを対応する送信処理デバイス毎に生成しこれを前記一方と他方の各同期駆動手段側で保持する同期設定クロック生成処理機能、
およびこの生成された各同期設定クロックをタイミングクロックとして特定し、これに基づいて対応する前記各送信処理デバイスのデータ送信動作のタイミングを同期設定すると共に、別に外部入力される送信用のデータ信号をデバイス駆動信号として前記データ送信動作のタイミングで対応する前記各送信処理デバイスに各別に送り込むデータ信号同期設定処理機能、を設ける。【００２６】
更に、前述したタイミングクロック生成処理機能に、
予め前記一方と他方の経路を介してそれぞれ別々に取り込んだ前記基準クロックを予め設定された転送経路を介して転送クロックとして相互に前記他の送信処理デバイス側へ送り込む基準クロック転送処理機能、を併設する。【００２７】
又、前述した同期設定クロック生成処理機能では、
当該同期設定クロック生成処理機能の実行時に成される前記各位相補間処理に際しては、前記自己の基準クロックと前記他の送信処理デバイス側から送られてくる前記転送クロックとの位相差の中心の中間位相を演算すると共に、当該中間位相に基づいて前記同期設定クロックを生成するようにする。【００２８】
そして、上記各処理機能を、前記一方と他方の各同期駆動手段が備えているコンピュータにそれぞれ同期して実現させるようにしたこと特徴とする。
【発明の効果】
【００２９】
本発明にかかる技術によれば、複数のデータ信号の同期送信に際して、一方と他方の同期駆動手段を用いた場合でも、高精度に同期して送信動作させることができ、従って、これを一方と他方の光位相変調回路に適用した場合には精度の高い変調光信号を生成しその動作タイミングを高精度に同期させることができるという優れた信号同期送信システム、光変調器用同期駆動システム、信号同期送信方法及びそのプログラムが格納された非一時的なコンピュータ可読媒体を提供することができる。
【図面の簡単な説明】
【００３０】
【図１】本発明の第１実施形態における信号同期送信システムを多値の光変調器について実施した場合の例を示すブロック図である。
【図２】図１に開示した信号同期送信システムを含む光送信器と受信側の光通信装置とを接続した光通信システムの概略構成を示すブロック図である。
【図３】図１に開示した信号同期送信システムにおける位相補間回路の一例を示すブロック図である。
【図４】図３に開示した位相補間回路の動作を示す図で、位相補間波形の例を示す説明図である。
【図５】図１に開示した信号同期送信システムにおける位相同期回路の一例を示すブロック図である。
【図６】図１に開示した第１実施形態における信号同期送信システムを含む光送信器の動作を示すフローチャート（前半部分）である。
【図７】図１に開示した第１実施形態における信号同期送信システムを含む光送信器の動作を示すフローチャート（後半部分）である。
【図８】本発明における信号同期送信システムの第２の実施形態を示すブロック図である。
【図９】本発明における信号同期送信システムの第２の実施形態を示すブロック図である。
【図１０】本発明における信号同期送信システムの関連技術の例を示すブロック図である。
【発明を実施するための形態】
【００３１】
以下、本発明に係る信号同期送信システムを、多値の光変調器について実施した場合の例（第１の実施形態）を、図１乃至図６を参照して説明する。
【００３２】
〔第１の実施形態〕
図２において、本発明に係る信号同期送信システムを装備した光送信器１４は、通信相手先に送信する送信データを処理するための送信信号処理部１２と共に、光通信装置１０の一部を構成している。
【００３３】
この光通信装置１０は、送信信号処理部１２から出力される主信号を光送信器１４にて光信号に変換し、変換された光信号を光ファイバＦを介して他の光通信装置に送信する装置である。この光ファイバＦには通信相手先として受信側の光通信装置１６が接続されている。この光通信装置１６は光ファイバＦを介して受信された光信号を電気信号に復調して主信号を再生する装置であり、送信側の光通信装置１０と共に光通信システムを構成している。
【００３４】
ここで、送信信号処理部１２は、送信データ列を二系統の主信号（Ｉ成分のＩ信号及びＱ成分のＱ信号）に変換し、この主信号を、変調器駆動用のデータ信号Ｄ１，Ｄ２として出力する。この主信号Ｄ１，Ｄ２は変調器駆動用として光送信器１４に送り込まれる。
【００３５】
上記光送信器１４は、光源から発したレーザ光を送信信号処理部１２から与えられる主データ信号Ｄ１，Ｄ２に応じてそれぞれ強度変調し、変調された光信号を合波し、合波された出力光を光ファイバＦに出射する光送信器である。
【００３６】
図１に、本発明に係る信号同期送信システムを装備した光送信器１４の内部構成例を示す。
ここで、最初に、光送信器１４の要部を成す信号同期送信システムの基本的な構成内容を説明し、その後に、光送信器１４全体の具体的内容を説明する。
【００３７】
図１に示すように、光送信器１４の要部である信号同期送信システムは、複数のデータを位相同期して送信する一方と他方の送信処理デバイスである光位相変調回路２６Ａ，２６Ｂを備えた光変調器２２と、この光変調器２２の各光位相変調回路２６Ａ，２６Ｂに対してその各送信動作を同期制御する一方と他方の同期駆動部３２Ａ，３２Ｂとを備えている。
【００３８】
この一方と他方の各同期駆動部３２Ａ，３２Ｂは、同期設定クロックＯＵＴ１，ＯＵＴ２をそれぞれ生成する位相補間回路４２，７２と、光位相変調回路２６Ａ、２６Ｂと、同期設定回路６０，７６とを、それぞれ備えている。
位相補間回路４２，７２はそれぞれ、上記各光位相変調回路２６Ａ，２６Ｂの動作タイミングを設定する基準クロック信号Ｃ１，Ｃ２を予め設定された一方と他方の経路ＴＬ１ａ，ＴＬ１ｂ，を介してそれぞれ共通のクロック信号発生回路３４から外部入力すると共に、これを位相補間処理して同期設定クロックＯＵＴ１，ＯＵＴ２を生成する。
同期設定回路６０，７６はそれぞれ、同期設定クロックＯＵＴ１，ＯＵＴ２をタイミングクロック信号ＣＬ１１，ＣＬ３１として入力すると共に、これに基づいて対応する前記各光位相変調回路２６Ａ，２６Ｂのデータ送信動作（光変調動作）のタイミングを，別に入力される送信用のデータ信号（主信号）Ｄ１，Ｄ２を介して同期設定する。
【００３９】
この場合、同期設定回路６０，７６として、本第１実施形態では、図１に示すようにＤ型フリップフロップ回路が使用され、これによって後述するように、各光位相変調回路２６Ａ，２６Ｂ毎に、それぞれ二つの変調駆動信号Ｄｒ１，Ｄｒ２、Ｄｒ３，Ｄｒ４を生成し、前述した各光位相変調回路２６Ａ，２６Ｂを個別に同期駆動し得るようになっている。
【００４０】
ここで、前述した各同期駆動部３２Ａ，３２Ｂは、取り込んだ前記基準クロック信号Ｃ１，Ｃ２を予め設定された転送経路ＴＬ２を介してそれぞれ前記他の同期駆動部３２Ｂ，３２Ａへ転送クロックとして送り込む機能を備えている。これによって、前述したように位相補間回路４２，７２による位相差が同一の同期設定クロックＯＵＴ１，ＯＵＴ２の生成（前記基準クロック信号Ｃ１，Ｃ２に対する位相補間処理）がなされるようになっている。
【００４１】
この位相補間回路４２，７２による前記同期設定クロックＯＵＴ１，ＯＵＴ２の生成は、具体的には、前記基準クロック信号Ｃ１，Ｃ２と前記他の同期駆動部３２Ｂ，３２Ａから送られてくる転送クロックＣ２，Ｃ１との位相差の中心の中間位相をそれぞれ演算し、この演算して成る中間位相を備えた位相差同一のクロックを上記同期設定クロックＯＵＴ１，ＯＵＴ２として生成した。
【００４２】
又、上記各光位相変調回路２６Ａ，２６Ｂは、それぞれ一定の共通光源から入力されるレーザ光Ｌを送信用の前記データ信号Ｄ１，Ｄ２に基づいて変調した後にこれを合成して外部出力するように設定されている。
更に、上記各同期設定回路６０，７６は、前記位相補間回路４２，７２から送り出される前記タイミングクロック信号ＣＬ１１，ＣＬ３１のタイミングで稼働し前記送信用のデータ信号Ｄ１，Ｄ２を前記光変調器用の駆動信号である電圧パルスに変換すると共に、これを対応する前記一方又は他方の各光位相変調回路２６Ａ，２６Ｂに送り込む機能を備えている。
【００４３】
これにより、後述するように、各光位相変調回路２６Ａ，２６Ｂの対応する各データ信号Ｄ１，Ｄ２に基づく位相変調に際しては、同一位相のタイミングクロック信号ＣＬ１１，ＣＬ３１により同一のタイミングで位相変調動作が実行されることとなる。
【００４４】
更に、本第１実施形態における前述した各同期駆動部３２Ａ，３２Ｂにあっては、前記位相補間回路４２，７２と同期設定回路６０，７６との間に、位相同期調整回路４４，７４がそれぞれ設けられている（図１参照）。
【００４５】
そして、前述したタイミングクロック信号ＣＬ１１，ＣＬ３１の特定に際しては、前記各位相同期調整回路４４，７４が、前記外部入力される各基準クロック信号Ｃ１，Ｃ２を前記位相補間回路４２，７２から出力される中間位相の同期設定クロックＯＵＴ１，ＯＵＴ２に同期させるように調整すると共に、この同期調整された基準クロック信号Ｃ１，Ｃ２を前記タイミングクロック信号ＣＬ１１，ＣＬ３１として対応する前記各同期設定回路６０，７６に送り込むように構成されている。
【００４６】
前述した各同期駆動部３２Ａ，３２Ｂには、当該自己の同期駆動部３２Ａ，３２Ｂに取り込んだ前記基準クロック信号Ｃ１，Ｃ２を転送クロックとして、前述した転送経路ＴＬ２を介してそれぞれ他の同期駆動部３２Ｂ，３２Ａの前記位相補間回路４２，７２に相互に切り換えて送り込む切換えスイッチ４０，７０を、それぞれ装備されている。
【００４７】
この各切換えスイッチ４０，７０は、上記各同期駆動部３２Ａ，３２Ｂの相互間で前記転送経路ＴＬ２を介して連通した状態に設定され且つ同期切り換え動作が可能な状態に配線されている。そして、この各切換えスイッチ４０，７０には、当該各切換えスイッチ４０，７０の動作を同一のタイミングで同時に切り換え制御する切換え制御回路３６が併設されている。この切換え制御回路３６は、前述したクロック信号発生回路３４から出力される基準クロック信号Ｃ１，Ｃ２と同一の出力タイミングでその切換え制御を実行するように構成されている。
【００４８】
前述した各同期設定回路６０，７６の内、一方の同期設定回路６０は、前記タイミングクロック信号ＣＬ１１に従って作動し外部入力される送信用のデータ信号Ｄ１を光の位相０（ゼロ）と光の位相πに対応する電圧パルスに変換して出力するＤ型フリップフロップ回路６０Ａと、この各電圧パルスを対応する前記一の位相変調回路２６Ａの各アームに個別に印加する二つのドライバ６２，６４とを含んで構成されている。
【００４９】
同じく他方の同期設定回路７６も、前述した一方の同期設定回路６０と同様に、前記タイミングクロック信号ＣＬ３１に従って作動し外部入力される送信用のデータ信号Ｄ２を光の位相０（ゼロ）と光の位相πに対応する電圧パルスに変換して出力するＤ型フリップフロップ回路７６Ａと、この各電圧パルスを対応する前記他の一の位相変調回路２６Ｂの各アームに個別に印加する二つのドライバ７８，８０とを含んで構成されている。
【００５０】
これにより、前述した一方と他方の各光位相変調回路２６Ａ，２６Ｂを、円滑に同期駆動し、送信用のデータ信号Ｄ１，Ｄ２を高精度に且つ全体的に安定した状態で同期駆動することができ、光変調器２２全体の動作の安定を確保することが可能となっている。
【００５１】
以下、これを更に詳述する。
上述したように、光送信器１４は、光源のレーザ・ダイオード２０から発せられるレーザ光を強度変調し、変調された光信号を生成する光変調器２２を備えている。この光変調器２２は、例えばニオブ酸リチウム（LiNbO ３   ）の電気光学効果を用いたニオブ酸リチウム導波路（ＬＮ導波路）型のマッハ・ツェンダ（ＭＺ：Mach-Zehnder）型位相変調器から成る光位相変調回路２６Ａ，２６Ｂを基板上に２個並列配置した構成となっている。
【００５２】
上記光変調器２２は、レーザ・ダイオード２０からの入射光であるレーザ光Ｌを２つの導波路のアームＩ及びＱ（Ｉアーム、Ｑアーム）に分波する分波部２４を備えている。分波部２４は、レーザ光Ｌを一方のアームＩに分波し、他方はアームＱに分波する光スプリッタである。光変調器２２は、前述したようにこれら２つのアームＩ及びＱに対応してそれぞれ光導波路が配置された一方と他方の二つの光位相変調回路２６Ａ，２６Ｂを備え、この光位相変調回路２６Ａ，２６Ｂの内、一方の光位相変調回路２６Ａの出力側には更に位相器２８が設置されている。
【００５３】
各光位相変調回路２６Ａ，２６Ｂは、前述したようにマッハ・ツェンダ型位相変調器であり、対応する一方と他方の各同期駆動部３２Ａ、３２Ｂにて生成される電圧パルスである駆動信号に応じたプッシュプル動作により、入射光に対してＱＰＳＫ（Quadrature Phase Shift Keying ）方式にて光強度変調を行うように構成されている。
【００５４】
具体的には、一方の光位相変調回路２６Ａは、対応する一方の同期駆動部３２Ａから与えられる変調駆動信号Ｄｒ１及びＤｒ２に応じてアームＩからの入射光に対してＱＰＳＫ方式の光強度変調を行い、他方の光位相変調回路２６Ｂは他方の同期駆動部３２Ｂから与えられる変調駆動信号Ｄｒ３及びＤｒ４に応じてアームＱからの入射光に対してＱＰＳＫ方式にて光強度変調を行う。
【００５５】
ここで、この一方の光位相変調回路２６Ａの出力側には、位相器２８が配置されている。この位相器２８は、アームＩを通る光信号に位相φを加えて、アームＩ及びＱを通る光信号間に位相差を与える位相調整器である。理想的なＱＰＳＫ変調器では加える位相φは値π／２である。
【００５６】
この位相器２８の出力側及び他方の光位相変調回路２６Ｂの出力側には、位相器２８及び光変調回路２６Ｂを通る光信号を合波する合波部３０を備えている。この合波部３０は合波された光信号を光伝送路である光ファイバＦに出射するように機能する。また、各光位相変調回路２６Ａ，２６Ｂの各アーム部分には、当該各アーム部分を覆うように電界設置電極Ｅ１，Ｅ２、Ｅ３，Ｅ４が配置されている（図１参照）。
【００５７】
そして、この各電界設置電極Ｅ１，Ｅ２、Ｅ３，Ｅ４に、各同期駆動部３２Ａ，３２Ｂからそれぞれ対応して与えられる各組の変調駆動信号Ｄｒ１，Ｄｒ２、Ｄｒ３，Ｄｒ４をそれぞれ入力し、これにより、各電界設置電極Ｅ１，Ｅ２、Ｅ３，Ｅ４を介して、各光位相変調回路２６Ａ，２６ＢのアームＩ，アームＱに変調駆動用の電界がそれぞれ印加されるようになっている。
【００５８】
上記各同期駆動部３２Ａ，３２Ｂは、クロック信号発生回路３４から一方と他方の各経路（トランスミッションライン）ＴＬ１ａ，ＴＬ１Ｂｂを介してそれぞれ直接供給される基準クロック信号Ｃ１，Ｃ２と、互いに他方の同期駆動部３２Ｂ，３２Ａから転送経路（トランスミッションライン）ＴＬ２を経由して供給される転送クロックとしての基準クロック信号Ｃ２，Ｃ１とに基づいて機能し、互いに同期して動作すると共に、光変調器２２の各光位相変調回路２６Ａ，２６Ｂをそれぞれ変調駆動する変調駆動信号Ｄｒ１，Ｄｒ２、Ｄｒ３，Ｄｒ４を前述したように生成し出力するための集積回路（ＬＳＩ：大規模集積回路）である。
【００５９】
ここで、一方と他方の経路（トランスミッションライン）ＴＬ１ａ，ＴＬ１ｂ及び前述した転送経路ＴＬ２は、同期駆動部３２Ａ及び３２Ｂを保持する基板（図示せず）上に配設された銅配線である。この一方と他方の経路（トランスミッションライン）ＴＬ１ａ，ＴＬ１ｂ及びＴＬ２を構成する材料は銅に限らず、例えば金、アルミニウムなどの他の導体でもよい。
【００６０】
各同期駆動部３２Ａ及び３２Ｂは、一方と他方の経路ＴＬ１ａ，ＴＬ１ｂ及び転送経路ＴＬ２を介して送られてくるクロック信号発生回路３４からの基準クロック信号Ｃ１，Ｃ2 に基づいて、前述したように光変調器２２内の２つの光位相変調回路２６Ａ，２６Ｂをそれぞれ同期して変調駆動する変調駆動信号Ｄｒ１，Ｄｒ２、Ｄｒ３，Ｄｒ４を、前述したように生成する機能を有している。
【００６１】
次に、上記一方と他方の各同期駆動部３２Ａ及び３２Ｂについて、詳述する。
まず、一方の同期駆動部３２Ａでは、クロック信号発生回路３４の出力が一方の経路（トランスミッションライン）ＴＬ１ａを介して入力端子Ｔ１に接続され、これにより、クロック信号発生回路３４にて発生した基準クロック信号Ｃ１が同期駆動部３２Ａに直接入力されるようになっている。この一方の経路（トランスミッションライン）ＴＬ１ａは、分岐点Ｐにて分岐されて他方の同期駆動部３２Ｂの入力端子Ｔ２にも接続され、これにより、基準クロック信号が他方の同期駆動部３２Ｂにも直接入力されるようになっている。
【００６２】
ここで、分岐点Ｐは、一方と他方の各同期駆動部３２Ａ及び３２Ｂの入力端子Ｔ１と入力端子Ｔ２との中間に設定され、分岐点Ｐと入力端子Ｔ１との間の距離Ｌｃ１と、分岐点Ｐと入力端子Ｔ２との間の距離Ｌｃ２とは、それぞれ同じ長さになるように設定されている。また、一方と他方の各同期駆動部３２Ａ及び３２Ｂの相互間に設置された各入出力端子Ｔ３及びＴ４は、前述した転送経路ＴＬ２を介して互いに接続されている。
【００６３】
この一方の同期駆動部３２Ａは、入力端子Ｔ１に直接入力される基準クロック信号Ｃ１を入出力端子Ｔ３および転送経路ＴＬ２を介して他方の同期駆動部３２Ｂへ送るための経路切換えスイッチ４０を備えている。この経路切換えスイッチ４０の接点ａは入力端子Ｔ１に接続され、経路切換えスイッチ４０の切換え端子ＣＯＭ１は前記他の入出力端子Ｔ３に接続されている。
【００６４】
上記経路切換えスイッチ４０は、切換え制御回路３６から与えられる選択制御信号ＳＥＬ１に応動して、その接続を接点ａ及び接点ｂのいずれか一方の接点に選択的に切り換えて、クロックパスを設定する選択回路である。
【００６５】
そして、一方の同期駆動部３２Ａ側の位相調整を行う際には、入力端子Ｔ１に入力する基準クロック信号Ｃ１と入出力端子Ｔ３に入力される他方の同期駆動部３２Ｂからの基準クロック信号Ｃ２とを用いて前述したように位相調整が行われる。この場合、経路切換えスイッチ４０は、切換え制御回路３６から供給される選択制御信号ＳＥＬ１に応じてその接続を接点ｂ側にすることで入力機能を選択し、他方の同期駆動部３２Ｂを経由した基準クロック信号Ｃ２を転送経路ＴＬ２及び入出力端子Ｔ３を介して入力するように構成されている。
【００６６】
逆に、他方の同期駆動部３２Ｂ側の位相調整を行う際には、経路切換えスイッチ４０は、選択制御信号ＳＥＬ１に応じてその接続を接点ａ側にすることで出力機能を選択し、一方の同期駆動部３２Ａを経由した基準クロック信号Ｃ１を、入出力端子Ｔ３及び転送経路ＴＬ２を介して、他方の同期駆動部３２Ｂの入出力端子Ｔ４に供給し得るように構成されている。
【００６７】
切換え制御回路３６は、上述した選択制御信号ＳＥＬ１を生成して、同期駆動部３２Ａに備えられている経路切換えスイッチ４０の選択動作を制御する機能を備えている。
【００６８】
この経路切換えスイッチ４０の接点ｂ側には位相補間回路４２が接続されている。この位相補間回路４２は、経路切換えスイッチ４０側から供給される基準クロック信号Ｃ２と、入力端子Ｔ１に直接入力された基準クロック信号Ｃ１とに基づいて、前述したように位相補間することによりその中間位相のクロック信号（同期設定クロック）を生成する回路である。この位相補間回路４２の構成の一例を、図３に示す。
【００６９】
この位相補間回路４２は、図３に示すように入力端子Ｔ１にゲートがそれぞれ接続されるトランジスタペアＴｒ１及びＴｒ２と、接点ｂにゲートがそれぞれ接続されるトランジスタペアＴｒ３及びＴｒ４とが、それぞれ抵抗Ｒ１及びＲ２を介して電源線Ｐに接続されている。そして、トランジスタペアＴｒ１及びＴｒ２の各ドレインは共に接続され、接地されてる。符号Ｉ１は接地電流値を示す。また、トランジスタペアＴｒ３及びＴｒ４の各ドレインは共に接続され接地されている。符号Ｉ２は接地電流値を示す。
【００７０】
このような構成により位相補間回路４２では、トランジスタＴｒ１に流れるドレイン電流が基準クロック信号Ｃ１ａに応じて変化すると共に、トランジスタＴｒ３に流れるドレイン電流が基準クロック信号Ｃ２ａに応じて変化する。このトランジスタＴｒ１のドレイン電流変化とトランジスタＴｒ３のドレイン電流変化とは、互いにソースが接続されている接続線１ａにて合流し加算される。
【００７１】
従って、電源線Ｐに接続された抵抗Ｒ１の両端では、接続線１ａにて加算された電流の変化に応じて電圧降下量が変動し、この結果、この接続線１ａから、基準クロック信号Ｃ１ａと基準クロック信号Ｃ２ｂとの中間位相のクロック信号（同期設定クロック）ＯＵＴ１ａが生成される。
【００７２】
同様に、トランジスタＴｒ２に流れるドレイン電流が基準クロック信号Ｃ１ｂに応じて変化すると共に、トランジスタＴｒ４に流れるドレイン電流が基準クロック信号Ｃ２ｂに応じて変化する。このトランジスタＴｒ２のドレイン電流変化とトランジスタＴｒ４のドレイン電流変化とは、互いにソースが接続された接続線１ｂにて合流し加算される。
【００７３】
従って、電源線Ｐに接続された抵抗Ｒ２の両端では、接続線１ｂにて加算された電流の変化に応じて電圧降下量が変動し、この結果、接続線１ｂから、基準クロック信号Ｃ１ｂと基準クロック信号Ｃ２ａとの中間位相のクロック信号（同期設定クロック）ＯＵＴ１ｂが生成される。
【００７４】
この場合、生成された中間位相信号ＯＵＴ１ａ，ＯＵＴ１ｂの各位相は、後述する式（１）の欄で示すように等しい位相値の中間位相を示し、これを位相補間回路４２は、中間位相のクロック信号（即ち、同期設定クロック）ＯＵＴ１として出力する（図４参照）。
又、位相補間回路４２は、このようにして生成した中間位相信号を同期設定クロックＯＵＴ１として位相同期調整回路４４に供給する機能を備えている。
【００７５】
次に、位相同期調整回路４４について説明する。
この位相同期調整回路４４は、位相補間回路４２から出力される同期設定クロック（中間位相信号）ＯＵＴ１の位相に、入力端子Ｔ１に直接入力される基準クロック信号Ｃ１の位相を同期させるように調整し、これを一方の光位相変調回路２６Ａのタイミングクロック信号として出力する回路である。この位相同期調整回路４４の内部構成例を図５に示す。
【００７６】
この位相同期調整回路４４は、図５に示すように位相差検出回路４４Ａと、位相シフト回路５２とを備えている。
位相差検出回路４４Ａは、位相補間回路４２から出力される同期設定クロック（中間位相信号）ＯＵＴ１と前記入力端子Ｔ１を介して入力される前記基準クロック信号Ｃ１との位相差を検出する。
位相シフト回路５２は、位相差検出回路４４Ａで検出される位相差分だけ前記基準クロック信号Ｃ１の位相をシフトしてタイミングクロック信号ＣＬ１１を出力する遅延調整機能を備えている。
【００７７】
この内、位相差検出回路４４Ａは、前記同期設定クロック（中間位相信号）ＯＵＴ１と前記位相シフト回路５２の出力信号の一部を入力し乗算処理するミキサ回路５０と、このミキサ回路５０から出力される振幅に比例した直流分を通過させるローパスフィルタ５６と、この直流分の値により位相の一致如何を判定すると共に位相差が無くなる方向に前記位相シフト回路５２を帰還制御する位相判定回路５４とを備えている。
【００７８】
ここで、上記ミキサ回路５０は、前述したように同期設定クロック（中間位相信号）ＯＵＴ１と位相シフト回路５２の出力（タイミングクロック信号ＣＬ１）とを入力して乗算し、振幅に比例した直流分と２倍の周波数の交流分とを乗算結果としてローパスフィルタ５６に出力する演算回路である。
【００７９】
次に、ローパスフィルタ５６は、ミキサ回路５０から出力される信号から交流分を除去し、直流分のみの信号を位相判定回路５４に出力する機能を有している。同期設定クロックＯＵＴ１とタイミングクロック信号ＣＬ１との位相が揃うとローパスフィルタ５６の出力は、信号レベルに比例する直流信号を出力する。逆に、同期設定クロック（中間位相信号）ＯＵＴ１と前記タイミングクロック信号ＣＬ１とに位相差があるような非同期信号であった場合には、ローパスフィルタ５６から出力される信号は、長期的には周期をもつ信号となって、その信号の平均値は零となる。
【００８０】
位相判定回路５４は、その位相差の有無及びその量を判定し、その判定結果に従って位相差に応じた帰還信号を位相シフト回路５２に出力する構成である。このような構成により、位相同期調整回路４４は、同期設定クロック（中間位相信号）ＯＵＴ１の位相に、基準クロック信号Ｃ１の位相を合わせて同期させ、これをタイミングクロック信号ＣＬ１１とする機能を備えている。
この位相シフト回路５２の出力は、同期設定回路６０の要部を成すＤ型フリップフロップ回路６０Ａに接続されている（図１参照）。
【００８１】
この図１において、Ｄ型フリップフロップ回路６０Ａは、遅延回路である。Ｄ型フリップフロップ回路６０Ａは、位相同期調整回路４４から出力されるタイミングクロック信号ＣＬ１１を入力し、送信信号処理手段１２（図２参照）から出力される送信データの内のＩ信号Ｄ１を入力する。このＩ信号Ｄ１をタイミングクロック信号ＣＬ１１のタイミングに合わせて遅延して出力する。
【００８２】
このＤ型フリップフロップ回路６０Ａは、タイミングクロック信号ＣＬ１１のクロックタイミングに合わせて遅延されたＩ信号をドライバ（ドライバ回路）６２に出力すると共に、Ｉ信号の反転信号（反転Ｉ信号）をドライバ（ドライバ回路）６４に出力するように構成されている。
【００８３】
このドライバ６２及び６４は、それぞれＩ信号及び反転Ｉ信号を変調に必要な電圧のパルス信号に変換し、一方の光位相変調回路２６Ａを変調駆動する変調駆動信号Ｄｒ１及びＤｒ２をそれぞれ生成する駆動回路である。このドライバ６２及び６４は、例えば、ディジタル信号の値０を光の位相０に対応するようにすると共にディジタル信号の値１を光の位相πに対応するように、変調駆動信号Ｄｒ１及びＤｒ２の電圧パルス及びバイアス電圧を調整する。
【００８４】
そして、ドライバ６２及び６４にてそれぞれ生成された変調駆動信号Ｄｒ１及びＤｒ２が、一方の光位相変調回路２６Ａに配設された電界設置電極Ｅ１及びＥ２にそれぞれ印加されるように構成されている。また、ドライバ６２及び６４が生成するパルス信号は、変調に必要となるバイアス電圧を含んでいる。
ここで、このドライバ（ドライバ回路）６２，６４及び前述したＤ型フリップフロップ回路６０Ａとにより、同期設定回路６０が構成されている。
【００８５】
このような構成を有する一方の同期駆動部３２Ａによって、前述した光変調器２２内の一方の光位相変調回路２６Ａがタイミングクロック信号ＣＬ１１に同期して駆動される。
【００８６】
次に、上記一方の同期駆動部３２Ａと対になっている他方の同期駆動部３２Ｂの構成について説明する。
この他方の同期駆動部３２Ｂは、図示の便宜上、一方の同期駆動部３２Ａとは対称性を有する回路配置としてあり、各端子，回路配置，部品配置及び電気配線が一方の同期駆動部３２Ａとは各々対称の向きにとなるように図示されている。
この他方の同期駆動部３２Ｂの各構成要素は、その機能が上述した一方の同期駆動部３２Ａの各構成要素と同一の構成となっており、以下その各構成の要点を説明する。
【００８７】
図示するように他方の同期駆動部３２Ｂは、クロック信号発生回路３４から入力端子Ｔ２に直接供給される基準クロック信号Ｃ２と一方の同期駆動部３２Ａ及び転送経路ＴＬ２を経由して供給される基準クロック信号Ｃ１とに基づいて、光変調器２２内の他方の光位相変調回路２６Ｂを駆動する変調駆動信号Ｄｒ３及びＤｒ４を生成する機能を有している。
【００８８】
この他方の同期駆動部３２Ｂは、他方の経路ＴＬ１ｂを介して入力端子Ｔ２に直接入力される基準クロック信号Ｃ２を入出力端子Ｔ４に送り出すと共に、一方の同期駆動部３２Ａから入出力端子Ｔ４に入力される基準クロック信号Ｃ１を内部回路に取り込む経路切換えスイッチ７０を備えている。この経路切換えスイッチ７０の接点ａは入力端子Ｔ２に接続され、経路切換えスイッチ７０の端子ＣＯＭ２は入出力端子Ｔ４に接続されている。
【００８９】
この経路切換えスイッチ７０は、切換え制御回路３６から与えられる選択制御信号ＳＥＬ２に応動して、接点ａ及び接点ｂのいずれか一方の接点にその接続を選択的に切り換える選択回路である。そして、他方の同期駆動部３２Ｂ側の位相調整を行う場合、入力端子Ｔ２に入力する基準クロック信号Ｃ２と入出力端子Ｔ４に一方の同期駆動部３２Ａから入力される基準クロック信号Ｃ１とを用いて位相調整を行うので、経路切換えスイッチ７０は選択制御信号ＳＥＬ２に応じてその接続を接点ｂ側にすることで入力機能を選択する。
【００９０】
逆に、一方の同期駆動部３２Ａ側が位相調整を行う場合には、経路切換えスイッチ７０は、選択制御信号ＳＥＬ２に応じてその接続を接点ａ側にすることで出力機能を選択し、当該他方の同期駆動部３２Ｂを経由した基準クロック信号Ｃ２を、入出力端子Ｔ４及び転送経路ＴＬ２を介して一方の同期駆動部３２Ａの入出力端子Ｔ３に供給するように構成されている。
【００９１】
切換え制御回路３６は、上述した選択制御信号ＳＥＬ２を生成して、他方の同期駆動部駆動回路３２Ｂに備えられている経路切換えスイッチ７０の選択動作を制御する制御機能を有している。
【００９２】
そして、経路切換えスイッチ７０の接点ｂ側には位相補間回路７２が接続されている。この位相補間回路７２は、経路切替スイッチ７０側から供給される基準クロック信号Ｃ１と、入力端子Ｔ２に直接入力した基準クロック信号Ｃ２とに基づいて、それら２つの基準クロック信号を位相補間することによりその中間信号を生成する回路である。
この位相補間回路７２の内部構成は、図３に開示した位相補間回路４２の各構成が同一の構成となっている。
【００９３】
このような構成により、位相補間回路７２は、基準クロック信号Ｃ２とＣ１の中間位相を有する中間位相信号（同期設定クロック）ＯＵＴ２（位相差はＯＵＴ１に同じ）を生成し、生成された同期設定クロックＯＵＴ２を位相同期調整回路７４に供給する機能を備えている。
【００９４】
この同期設定クロック（中間位相信号）ＯＵＴ２が入力される位相同期調整回路７４は、前述した位相同期調整回路４４と同様に機能するので、同期設定クロックＯＵＴ２と入力端子Ｔ２を介して直接入力される基準クロック信号Ｃ２とに基づいて、基準クロック信号Ｃ２の位相を同期設定クロックＯＵＴ２の位相に同期させるように調整する回路である。
この位相同期調整回路７４の内部構成は、図５に示した位相同期調整回路４４と同一の構成内容となっている。
【００９５】
このような構成により位相同期調整回路７４は、クロック信号発生回路３４及び他の経路ＴＬ１ｂを通して入力端子Ｔ２に直接入力される基準クロック信号Ｃ２の位相を、位相補間回路７２から出力される同期設定クロックＯＵＴ２の位相に合わせるように機能する。この位相同期調整回路７４は、位相を調節した基準クロック信号Ｃ２をタイミングクロック信号ＣＬ３１としてＤ型フリップフロップ回路７６Ａに出力するように構成されている。
【００９６】
このＤ型フリップフロップ回路７６Ａは、位相同期調整回路７４から出力されるタイミングクロック信号ＣＬ３１を入力し、送信信号処理部１２（図２参照）から出力される送信データの内、Ｑ信号Ｄ２を入力し、このＱ信号Ｄ２をタイミングクロック信号ＣＬ３１のクロックタイミングに合わせて遅延して出力する遅延回路である。
このＤ型フリップフロップ回路７６Ａは、クロックタイミングＣＬ３１に合わせて遅延されたＱ信号をドライバ７８に出力すると共に、Ｑ信号の反転信号（反転Ｑ信号）をドライバ８０に出力するように構成されている。
【００９７】
ドライバ７８及び８０は、それぞれＱ信号及び反転Ｑ信号を予め設定された電圧のパルス信号に変換し、光変調器２２の他方の光位相変調回路２６Ｂを変調駆動する変調駆動信号Ｄｒ３及びＤｒ４をそれぞれ生成する駆動回路である。そして、ドライバ７８及び８０にて生成された変調駆動信号Ｄｒ３及びＤｒ４は、他方の光位相変調回路２６Ｂの電界設置電極Ｅ３及びＥ４にそれぞれ印加されるように構成されている。
このドライバ７８及び８０および前述したＤ型フリップフロップ回路７６Ａとにより、同期設定回路７６が構成されている。
【００９８】
このように、他方の同期駆動部３２Ｂによって光変調器２２内の他方の光位相変調回路２６Ｂがタイミングクロック信号ＣＬ３１に同期して変調駆動されるようになっている。また、同期設定回路７６を構成するＤ型フリップフロップ回路７６Ａ，ドライバ７８及び８０も、前述した一方の同期駆動部３２Ａ内の同期設定回路６０を構成するＤ型フリップフロップ回路６０Ａ，ドライバ６２及び６４の各回路配置とは、図１に示すように対称に図示されている。
【００９９】
次に、上記位相同期調整回路４４及び７４にて生成されるタイミングクロック信号ＣＬ１１及びＣＬ３１の位相同期について説明する。
ここで、各同期駆動部３２Ａ及び３２Ｂ内の各配線内を伝搬する各基準クロック信号Ｃ１及びＣ２に生じる遅延は無視できるほど小さいものとし、信号遅延の大半が一方と他方の経路（トランスミッションライン）ＴＬ１ａ，ＴＬ１ｂ及び転送経路ＴＬ２にて発生するものとする。
かかる場合、クロック信号発生回路３４の出力端から各同期駆動部３２Ａ及び３２Ｂの各入力端子Ｔ１及びＴ２までにおける各転送信号に生じる遅延量は、次式（１）で表すことができる。
【０１００】
〔数１〕
〔（Dealy ＿C ＋Delay ＿B ）＋Delay ＿A 〕／２
＝〔（Dealy ＿C ＋Delay ＿A ）＋Delay ＿B 〕／２
……（１）
【０１０１】
ここで、クロック信号発生回路３４の出力から分岐点Ｐを経由して入力端子Ｔ１までの配線を一方の経路（トランスミッションライン）ＴＬ１ａとし、クロック信号発生回路３４の出力から分岐点Ｐを経由して入力端子Ｔ２までの配線を他方の経路（トランスミッションライン）ＴＬ１ｂとする。
【０１０２】
また、Delay ＿A は、クロック信号発生回路３４の出力から一方の経路ＴＬ１ａを介して一方の同期駆動部３２Ａの入力端子Ｔ１に転送される基準クロック信号Ｃ１に生じる遅延量を表す。
Delay ＿B は、クロック信号発生回路３４の出力から他方の経路ＴＬ１ｂを介して同期駆動部３２Ｂの入力端子Ｔ２に転送される基準クロック信号Ｃ２に生じる遅延量を表す。
Delay ＿C は、転送経路ＴＬ２におけるタイミングクロック信号の転送の際に生じる遅延量を表すものとする。
【０１０３】
こうした場合、上記式（１）左辺の（Dealy ＿C ＋Delay ＿B ）は、他方の経路ＴＬ１ｂを経由し、他方の同期駆動部３２Ｂを介して転送経路ＴＬ２を経由した基準クロック信号Ｃ２に対する遅延量である。
又、Delay ＿A は、一方の経路ＴＬ１ａを経由し一方の同期駆動部３２Ａの入力端子Ｔ１に入力された基準クロック信号Ｃ１に対する遅延量である。
そして、左辺全体はこれら２つの遅延の生じた基準クロック信号の遅延量平均を表すものである。
【０１０４】
また、上記式（１）右辺の（Dealy ＿C ＋Delay ＿A ）は、一方の経路ＴＬ１ａを経由し、更に同期駆動部３２Ａを介して転送経路ＴＬ２を経由した基準クロック信号Ｃ１に対する遅延量である。
又、Delay ＿B は、他方の経路ＴＬ１ｂを経由して他方の同期駆動部３２Ｂに入力された基準クロック信号に対する遅延量である。
そして、右辺全体はこれら２つの遅延の生じた基準クロック信号の遅延量平均を表すものである。
【０１０５】
このとき、これら２つの基準クロックの各遅延量平均値は、式（１）の成立により等しく同じものとなるので、各同期駆動部３２Ａ及び３２Ｂでこれら平均値をとったクロック信号（同期設定クロック／後述する信号ＯＵＴ１，ＯＵＴ２）をそれぞれ生成すると、それらクロック信号（同期設定クロック）は同期がとれた信号となり、これをタイミングクロック信号として各々独立した同期駆動部３２Ａ及び３２Ｂに使用すると、各同期駆動部２Ａ及び３２Ｂにて相互に同期がとれた駆動信号を生成することができる。
【０１０６】
従って、図１に示した光送信器１４では、一方と他方の各同期駆動部３２Ａ及び３２Ｂにてそれぞれ生成されるタイミングクロック信号ＣＬ１１及びＣＬ３１の位相同期が、高精度に確立するものとなり、これらから生成される変調駆動信号Ｄｒ１，Ｄｒ２及びＤｒ３，Ｄｒ４も、それぞれその位相同期が高精度に確立する。
これにより、光変調器２２の一方と他方の各光位相変調回路２６Ａ及び２６Ｂを、それぞれ高精度に同期して駆動することが可能となる。
【０１０７】
（第１実施形態の動作）
次に、上述した第１の実施形態における光送信器１４の動作を、図６乃至図７のフローチャートに基づいて説明する。
【０１０８】
まず、光通信装置１０（図２参照）に電源が投入されて、送信信号処理部１２及び光送信器１４が動作状態となる。ここで、クロック信号発生回路３４では、タイミングクロック信号が生成される（図６：ステップＳ１０１）。次に、一方と他方の光位相変調回路２６Ａ及び２６Ｂを同期駆動させるため、一方と他方の各同期駆動部３２Ａ及び３２Ｂが動作を開始する。一方と他方の各同期駆動部３２Ａ及び３２Ｂの各々が、同一タイミングの基準クロック信号Ｃ１、Ｃ２を入力する。すなわち、生成されたタイミング信号が一方と他方の各経路ＴＬ１ａ，ＴＬ１ｂを介して一方と他方の各同期駆動部３２Ａ及び３２Ｂの各入力端子Ｔ１及びＴ２にそれぞれ入力される（図６：ステップＳ１０２）。
【０１０９】
ここで、最初に、一方の同期駆動部３２Ａ側の位相同期制御動作について説明し、その後に他方の同期駆動部３２Ｂの位相同期制御動作について説明する。
【０１１０】
まず、一方の同期駆動部３２Ａの位相同期制御動作に先立って、他方の同期駆動部３２Ｂ内の経路切換えスイッチ７０の端子ＣＯＭ２が、切換え制御回路３６から出力される選択信号ＳＥＬ２に応動して図示のように接点ａに接続される。同時に、一方の同期駆動部３２Ａ内の経路切換えスイッチ４０の端子ＣＯＭ１が、切換え制御回路３６から出力される選択信号ＳＥＬ１に同一のタイミングで応動して図示のように接点ｂに接続される。
この結果、まず、一方の経路ＴＬ１ｂ、経路切換えスイッチ７０及び転送経路ＴＬ２を通る信号転送経路（パス）が形成される。
【０１１１】
この結果、クロック信号発生回路３４にて生成した基準クロック信号Ｃ１が一方の同期駆動部３２Ａの入力端子Ｔ１に直接入力されると共に、他方の同期駆動部３２Ｂの入力端子Ｔ２に入力された基準クロック信号Ｃ２が経路切換えスイッチ７０、入出力端子Ｔ４及び転送経路ＴＬ２を介して一方の同期駆動部３２Ａの入出力端子Ｔ３に入力される。この基準クロックＣ２は、更に切換えスイッチ４０を通って位相補間回路４２に入力される（図６：ステップＳ１０３）。
【０１１２】
そして、入力端子Ｔ１に入力された基準クロック信号Ｃ１と、経路切換えスイッチ４０を通して入力された基準クロック信号Ｃ２とが位相補間回路４２に入力されると、これら各基準クロック信号Ｃ１，Ｃ２の中間位相となる中間位相信号（同期設定クロック）ＯＵＴ１ａが生成される（図６：ステップＳ１０４／一方の駆動回路側・中間位相信号生成工程）。
【０１１３】
続いて、位相補間回路４２にて生成された中間位相信号（同期設定クロック）ＯＵＴ１ａは中間位相信号ＯＵＴ１として位相同期調整回路４４に送り込まれる。
この位相同期調整回路４４では、前述したように、入力端子Ｔ１に直接入力された基準クロック信号Ｃ１の位相を中間位相信号（同期設定クロック）ＯＵＴ１の位相に等しくなるように調整される（図６：ステップＳ１０５／一方の駆動回路側・基準クロック位相調整工程）。同時に、両者間の位相差の有無が判定され、前述したように両者間の位相差が無くなるように繰り返し判定され調整される（図６：ステップＳ１０６）。
【０１１４】
そして、この位相同期調整回路４４にて位相が調整された基準クロック信号Ｃ１は、タイミングクロック信号ＣＬ１１としてＤ型フリップフロップ回路６０Ａに出力される。すなわち、同期設定クロックＯＵＴ１の位相に合わされた基準クロック信号Ｃ１を、一方の同期駆動部３２Ａの同期設定回路６０が、一方の光位相変調回路２６Ａ駆動用のタイミングクロック信号として取り込む（図６：ステップＳ１０７／一方の駆動回路側・タイミングクロック信号設定工程）。
【０１１５】
次に、中間位相信号ＯＵＴ１と同位相に調整された基準クロック信号Ｃ１がタイミングクロック信号ＣＬ１１としてＤ型フリップフロップ回路６０Ａに入力され、Ｄ型フリップフロップ回路６０Ａの動作タイミングが設定される。そして、送信信号処理部１２（図２参照）から出力される送信データであるＩ信号Ｄ１がタイミングクロック信号ＣＬ１１のクロックタイミングに合わせて遅延される。
【０１１６】
そして、この遅延されたＩ信号及び反転Ｉ信号からそれぞれ前述したように変調駆動信号Ｄｒ１，Ｄｒ２が生成される。すなわち、Ｄ型フリップフロップ回路６０Ａが、外部入力されるデータ信号Ｄ１に基づいて、一方の光位相変調回路用２６Ａの変調駆動信号Ｄｒ１及びＤｒ２を生成する（図６：ステップＳ１０８／一方の駆動回路側・駆動信号生成工程）。この生成された変調駆動信号Ｄｒ１，Ｄｒ２が、ドライバ６２及び６４から光変調器２２の一方の光位相変調回路２６Ａの各電界設置電極Ｅ１及びＥ２に、変調器駆動用の同期駆動信号として供給される。
【０１１７】
次に、他方の同期駆動部３２Ｂ側の同期制御動作について説明する。
【０１１８】
まず、この他方の同期駆動部３２Ｂの同期制御動作に先立って、前述した一方の同期駆動部３２Ａの場合と同様に、一方の同期駆動部３２Ａ内の経路切換えスイッチ４０の端子ＣＯＭ１が、切換え制御回路３６から出力される選択信号ＳＥＬ１に応動して図示とは反対側の接点ａに接続される。同時に、他方の同期駆動部３２Ｂ内の経路切換えスイッチ７０の端子ＣＯＭ２が、切換え制御回路３６から出力される選択信号ＳＥＬ２に応動して図示とは反対側の接点ｂに接続される。この結果、まず、他方の経路ＴＬ１ａ、経路切換えスイッチ４０及び転送経路ＴＬ２を通る信号転送経路（パス）が形成される。
【０１１９】
この結果、クロック信号発生回路３４にて生成した基準クロック信号Ｃ２が他方の同期駆動部３２Ｂの入力端子Ｔ２に直接入力されると共に、一方の同期駆動部３２Ａの入力端子Ｔ１に入力された基準クロック信号Ｃ１が経路切換えスイッチ４０、入出力端子Ｔ３及び転送経路ＴＬ２を介して他方の同期駆動部３２Ｂの入出力端子Ｔ４に入力される。この基準クロック信号Ｃ１は、更に経路切換えスイッチ７０を通って位相補間回路７２に入力される（図７：ステップＳ１０９／他方の駆動回路側・入力経路切換え工程）。
【０１２０】
そして、入力端子Ｔ２に入力された基準クロック信号Ｃ２と、経路切換えスイッチ７０を通して入力された基準クロック信号Ｃ１とが位相補間回路７２に入力されると、これら各基準クロック信号Ｃ２，Ｃ１の位相差の中心部の中間位相が演算されその中間位相信号（同期設定クロック）ＯＵＴ１ｂが生成される（図７：ステップＳ１１０／他方の駆動回路側・中間位相信号生成工程）。
【０１２１】
続いて、位相補間回路７２にて生成された中間位相信号（同期設定クロック）ＯＵＴ１ｂは、前述した式（１）にて説明したように中間位相信号（同期設定クロック）ＯＵＴ１ａと同一タイミングのクロックとなることから、これを同期設定クロックＯＵＴ２として位相同期調整回路７４に送り込まれる。
【０１２２】
そして、位相同期調整回路７４では、前述した一方の同期駆動部３２Ａの場合と同様に、入力端子Ｔ２に直接入力された基準クロック信号Ｃ２の位相を中間位相信号（同期設定クロック）ＯＵＴ１の位相になるように調整される（図７：ステップＳ１１１／他方の駆動回路側・基準クロック位相調整工程）。
【０１２３】
この場合、同時に両者間の位相差の有無が判定され、両者間の位相差が無くなるまで繰り返し調整される（図７：ステップＳ１１２）。
その後、この位相同期調整回路７４にて位相が調整された基準クロック信号Ｃ２は、タイミングクロック信号ＣＬ３１としてＤ型フリップフロップ回路７６Ａに出力される。すなわち、同期設定クロックＯＵＴ２の位相に合わされた基準クロック信号Ｃ２を、他方の同期駆動部３２Ｂの同期設定回路７６が、一方の光位相変調回路２６Ｂ駆動用のタイミングクロック信号として取り込む（図７：ステップＳ１１３／他方の駆動回路側・タイミングクロック信号設定工程）。
【０１２４】
そして、中間位相信号ＯＵＴ１と同位相に調整されている基準クロック信号Ｃ２がタイミングクロック信号ＣＬ３１としてＤ型フリップフロップ回路７６Ａに入力され、Ｄ型フリップフロップ回路７６Ａの動作タイミングが設定される。そして、送信信号処理部１２（図２参照）から出力される送信データであるＱ信号Ｄ２がタイミングクロック信号ＣＬ３１のクロックタイミングに合わせて遅延される。
【０１２５】
この遅延されたＱ信号及び反転Ｑ信号から、前述したようにそれぞれ変調駆動信号Ｄｒ１，Ｄｒ２がドライバ７８及び８０にて生成される。すなわち、Ｄ型フリップフロップ回路７６Ａが、外部入力されるデータ信号Ｄ２に基づいて、一方の光位相変調回路用２６Ｂの変調駆動信号Ｄｒ３及びＤｒ４を生成する（図７：ステップＳ１１４／他方の駆動回路側・駆動信号生成工程）、この生成された変調駆動信号Ｄｒ３，Ｄｒ４が、ドライバ７８及び８０から光変調器２２の他方の光位相変調回路２６Ｂの各電界設置電極Ｅ３及びＥ４に、変調器駆動用の同期駆動信号として供給される。
【０１２６】
このようにして、一方と他方の各同期駆動部３２Ａ及び３２Ｂが、それぞれ同期して作動し生成した変調駆動信号Ｄｒ１及びＤｒ２と、変調駆動信号Ｄｒ３及びＤｒ４とは、光変調器２２の一方と他方の各光位相変調回路２６Ａ及び２６Ｂに、それぞれ供給される。
【０１２７】
この光変調器２２では、予め装備されたレーザ・ダイオード２０から発せられるレーザ光が、一方と他方の各光位相変調回路２６Ａ及び２６Ｂにて、前述した対応する各同期駆動部３２Ａ，３２Ｂからの変調駆動信号Ｄｒ１，Ｄｒ２、変調駆動信号Ｄｒ３，Ｄｒ４によって、それぞれ強度変調され、一方の光位相変調回路２６Ａ及び位相器２８を通した光信号（Ｉ信号）と、他方の光位相変調回路２６Ｂを通した光信号（Ｑ信号）とが合波部３０にて合波されて、合波された光信号が光ファイバＦに出力される。
【０１２８】
これら一方と他方の各光位相変調回路２６Ａ及び２６Ｂを駆動する駆動信号は、それぞれが位相同期している中間位相信号ＯＵＴ１及びＯＵＴ２に基づいて生成されているので、光位相変調回路２６Ａ及び２６Ｂのそれぞれは、精度よく同期して強度変調を行うことができ、合波部３０にて高精度に結合される。この結果、精度の高い位相変調信号の光信号を得ることができる。
【０１２９】
ここで、上述した第１実施形態における動作説明にあって、各工程における各動作内容をプログラム化しコンピュータに実現させるように構成してもよい。この場合、この動作内容のプログラムを非一時的な記録媒体にコンピュータが読み出し可能に記憶するようにしてもよい。
このようにしても、前述した発明の目的を有効に達成することが可能となる。
【０１３０】
以上説明したように、本第１実施形態によると、互いに独立した２つの集積回路である一方と他方の各同期駆動部３２Ａ及び３２Ｂにて位相同期のとれた信号をそれぞれ生成することができ、それらの信号を高精度に同期したタイミングクロック信号としてそれぞれ使用することができる。従って、独立した各同期駆動部３２Ａ及び３２Ｂ間のタイミング同期が確立し、各同期駆動部３２Ａ及び３２Ｂが同期して動作することが可能となる。また、これら高精度に同期したタイミングクロック信号を基準として駆動信号生成処理を行うことにより、２つの回路のそれぞれにてタイミングがそろった駆動信号を高精度に生成し、出力することができる。
【０１３１】
このような処理を受けて生成された駆動信号を使用して光変調器２２を駆動することにより、２つの入力データ信号に応じてそれぞれ変調された２つの光信号の強度バランスが揃い、それら光信号を結合して得られる光変調信号の精度が高く、良好なものとなるという効果がある。したがって、高精度に変調された多値の光変調信号を光変調器２２から出力させることができるので、例えば、受信器側通信装置に備えられている復調回路にて位相検出する際に、受信信号を誤検出する可能性を著しく低減させることが可能となり、通信品質が向上するという作用効果がある。
【０１３２】
ここで、図６乃至図７に示したフローチャートでは、その動作フローを、一方の同期駆動部３２Ａ側の駆動信号生成処理動作（ステップＳ１０４乃至ステップＳ１０８）が、他方の同期駆動部３２Ｂ側の駆動信号生成処理動作（ステップＳ１０９乃至ステップＳ１１４）に先だって行われるように構成したが、処理動作の順番はこれに限らず、他方の同期駆動部３２Ｂ側における駆動信号生成処理を、一方の同期駆動部３２Ａ側の駆動信号生成処理よりも先に行うように構成してもよい。
【０１３３】
また、上記第１の実施形態における光送信器１４は、ＱＰＳＫ方式の送信データを変調して送信する構成であるが、本発明はこれに限らず、他の変調方式として、例えばＤＱＰＳＫ（Differential QPSK ）方式やＱＡＭ（Quadrature amplitude modulation ）方式にも適用することが可能である。
【０１３４】
また、上記第１の実施形態では、光変調器２２を駆動する駆動信号を生成する駆動回路に対する同期したタイミングクロック信号の生成処理について記載したが、本発明はこれに限らず、複数の集積回路を用いた構成において、各集積回路にて使用する各種クロック信号や各種データ信号等に対するタイミング制御に適用することができる。
【０１３５】
〔第２の実施形態〕
次に、本発明の第２実施形態を、図８に基づいて説明する。
ここで、前述した第１実施形態の場合と同一の構成部材については同一の符号を用いるものとする。
【０１３６】
この図８において、本第２実施形態における光送信器１５は、前述した第１実施形態における経路切換えスイッチ４０，７０及び切換え制御回路３６を削除し、代わって２本の独立した転送経路ＴＬ２ａ，ＴＬ２ｂを設けた点に特徴を有する。
【０１３７】
この場合、一方の転送経路ＴＬ２ａは、他方の同期駆動部７２Ｂ側に取り込んだ基準クロック信号Ｃ２を一方の同期駆動部７２Ａ側の位相補間回路４２に直接転送するように配設されている。又、他方の転送経路ＴＬ２ｂは、一方の同期駆動部７２Ａ側に取り込んだ基準クロック信号Ｃ１を他方の同期駆動部７２Ｂ側の位相補間回路７２に直接転送するように配設されている。
【０１３８】
以下、これを詳述する。
図７に示すように、一方の同期駆動部３３Ａの入力端子Ｔ１には、クロック信号発生回路３４の出力側の分岐点Ｐにて分岐された一方の経路ＴＬ１ａが接続されている。この入力端子Ｔ１は、一方の同期駆動部３３Ａの出力端子Ｔ３ｂ及び前記他方の転送経路ＴＬ２ｂを介して前記他方の同期駆動部７２Ａにおける位相補間回路７２に連結された入力端子Ｔ４ｂに接続されている。
【０１３９】
又、他方の同期駆動部３３Ｂの入力端子Ｔ２は、他方の同期駆動部３３Ｂの出力端子Ｔ４ａ及び前記他方の転送経路ＴＬ２ａを介して前記一方の同期駆動部３３Ａにおける位相補間回路４２に連結された入力端子Ｔ３ａに接続されている。
【０１４０】
そして、一方の同期駆動部３３Ａの入力端子Ｔ１に一方の経路ＴＬ１ａを介して入力される前記基準クロック信号Ｃ１は、前記位相補間回路４２及び位相同期回路４４にそれぞれ入力されると共に、転送経路ＴＬ２ｂを介して前記他方の同期駆動部３３Ｂの位相補間回路７２側の入力端子Ｔ４ｂにも同時に転送されるようになっている。
【０１４１】
同様に、他方の同期駆動部３３Ｂの入力端子Ｔ２に他方の経路ＴＬ１ｂを介して入力される前記基準クロック信号Ｃ２は、前記位相補間回路７２及び位相同期回路７４にそれぞれ入力されると共に、転送経路ＴＬ２ａを介して前記一方の同期駆動部３３Ａの位相補間回路４２側の入力端子Ｔ３ａにも同時に転送されるようになっている。
【０１４２】
具体的には、図８に示すように、まず、一方の同期駆動部３３Ａの入力端子Ｔ３ａ及びＴ３ｂは、それぞれ転送経路ＴＬ２ａ，ＴＬ２ｂを介して他方の同期駆動部３３Ｂの入力端子Ｔ４ａ及びＴ４ｂにそれぞれ接続されている。
【０１４３】
他方の同期駆動部３３Ｂの入力端子Ｔ２には、クロック信号発生回路３４の出力側の分岐点Ｐにて分岐された他方の経路ＴＬ１ｂが接続されている。
ここで、入力端子Ｔ２は、一方の同期駆動部３３Ａの入力端子Ｔ３ａに接続されると共に、当該他方の同期駆動部３３Ｂの前記位相補間回路７２及び７４にそれぞれ接続されており、これにより、当該入力端子Ｔ２に直接入力される基準クロック信号Ｃ２が位相補間回路７２及び７４のそれぞれに入力される。
【０１４４】
また、他方の同期駆動部３３Ｂの入力端子Ｔ４ｂは、位相補間回路７２の他方の入力に接続されており、入力端子Ｔ４ｂに入力される前記一方の同期駆動部３３Ａからの基準クロック信号Ｃ１が位相補間回路７２にも入力されるようになっている。
【０１４５】
他方の同期駆動部３３Ｂの入力端子Ｔ４ａ及びＴ４ｂには、それぞれ前述した転送経路（トランスミッションライン）ＴＬ２ａ及びＴＬ２ｂが接続されており、これら転送経路ＴＬ２ａ及びＴＬ２ｂを介して一方の同期駆動部３３Ａに接続されている。
【０１４６】
そして、これら転送経路ＴＬ２ａ及びＴＬ２ｂは、それぞれ同一の長さに設定されていると共に、一方と他方の各同期駆動部３３Ａ，３３Ｂの相互間を接続する基板上に互いに近接して配設されている。従って、これら各転送経路ＴＬ２ａ及びＴＬ２ｂにて発生する転送信号の遅延は、高い精度で同じ遅延量であるとして取り扱うことができる。
【０１４７】
ここで、一方と他方の各同期駆動部３３Ａ，３３Ｂ内の各配線を通る信号伝搬に際して当該各基準クロック信号Ｃ１，Ｃ２に生じる遅延は無視できるほど小さいものとする。そして、信号遅延の主体は、前述した第１実施形態の場合と同様に、一方と他方の経路ＴＬ１ａ，ＴＬ１ｂ及び各転送経路ＴＬ２ａ及びＴＬ２ｂにて発生するものとする。この場合、クロック信号発生回路３４の出力端から一方と他方の各同期駆動部３３Ａ，３３Ｂの各端子Ｔ１及びＴ２までにおける転送信号に生じる遅延は、それぞれ等しいものとして、次式（２）で表すことができる。
【０１４８】
〔数２〕
〔（Dealy ＿C ＋Delay ＿B ）＋Delay ＿A 〕／２
＝〔（Dealy ＿D ＋Delay ＿A ）＋Delay ＿B 〕／２
……（２）
【０１４９】
ここで、クロック信号発生回路３４の出力から分岐点Ｐを経由して入力端子Ｔ１までの配線を一方の経路ＴＬ１ａとし、クロック信号発生回路３４の出力から分岐点Ｐを経由して入力端子Ｔ２までの配線を他方の経路ＴＬ１ｂとしている。
【０１５０】
また、Delay ＿A はクロック信号発生回路３４の出力から一方の経路ＴＬ１ａを介して一方の同期駆動部３３Ａの入力端子Ｔ１に転送される基準クロック信号Ｃ１に生じる遅延を表す。
Delay ＿B は、クロック信号発生回路３４の出力から他方の経路ＴＬ１ｂを介して他方の同期駆動部３３Ｂの入力端子Ｔ２に入力される基準クロック信号Ｃ２に生じる遅延を表す。
Delay ＿C は、一方の転送経路ＴＬ２ａにおける基準クロック信号Ｃ２の転送にて生じる遅延を表す。
そして、Delay ＿D は、他方の転送経路ＴＬ２ｂにおける基準クロック信号Ｃ１の転送にて生じる遅延を表すものとする。
【０１５１】
このような設定条件に基づいて分析すると、上記式（２）の左辺の（Dealy ＿C ＋Delay ＿B ）は、他方の経路ＴＬ１ｂを経由し、且つ他方の同期駆動部３３Ｂを介して一方の転送経路ＴＬ２ａを経由した基準クロック信号Ｃ２に対する遅延量であり、Delay ＿A は一方の経路ＴＬ１ａを経由し一方の同期駆動部３３Ａの入力端子Ｔ１に入力された基準クロック信号Ｃ１に対する遅延量であることが分かる。
そして、上記式（２）の左辺全体は、これら２つの遅延の生じた基準クロック信号Ｃ２，Ｃ１の遅延量の平均を表している。
【０１５２】
また、上記式（２）右辺の（Dealy ＿D ＋Delay ＿A ）は、一方の経路ＴＬ１ａを経由し、更に一方の同期駆動部３３Ａを介して他方の転送経路ＴＬ２ｂを経由した基準クロック信号Ｃ１に対する遅延量であり、Delay ＿B は他方の経路ＴＬ１ｂを経由して他方の同期駆動部３３Ｂの入力端子Ｔ２に入力された基準クロック信号Ｃ２に対する遅延量であることが分かる。
そして、上記式（２）の右辺全体は、これら２つの遅延の生じた基準クロック信号Ｃ１，Ｃ２の遅延量の平均を表している。
【０１５３】
このとき、これら二つの基準クロック信号Ｃ１，Ｃ２の各遅延量平均値は、何れのルートを経た場合でも等しくなるので、一方と他方の各同期駆動部３３Ａ及び３３Ｂでこれら平均値を別々に算定して各タイミングクロック信号をそれぞれ生成すると、それらタイミングクロック信号は同期がとれた信号となり、この各タイミングクロック信号をそれぞれ各々独立した一方と他方の各同期駆動部３３Ａ及び３３Ｂに使用すると、各同期駆動部３３Ａ及び３３Ｂにて同期がとれた駆動制御信号を生成することができる。
【０１５４】
従って、図８に示した光送信器１５では、一方と他方の各同期駆動部３３Ａ及び３３Ｂにてそれぞれ生成されるタイミングクロック信号ＣＬ１１及びＣＬ３１が同期するものとなり、これらから生成される変調駆動信号Ｄｒ１乃至Ｄｒ４も同期する。従って、光変調器２２の一方と他方の各光位相変調回路２６Ａ及び２６Ｂをそれぞれ同期して駆動することができる。
【０１５５】
また、この図８の例では、転送経路ＴＬ２ａ，ＴＬ２ｂを各々基板平面上に並べて配線しているが、他の配線方法として、例えば上記の基板上に薄膜の絶縁層を多層に形成し、各転送経路ＴＬ２ａ及びＴＬ２ｂをそれぞれ異なる層に配線してもよく、この場合、各転送経路ＴＬ２ａ及びＴＬ２ｂを平面上における同一配線経路にて各層に配設することができる。
【０１５６】
以上説明したように、本第２実施形態における光送信器１５では、各経路切換えスイッチ４０及び７０（図１参照）と切換え制御回路３６（図１参照）とを備えずに、光変調器２２を駆動する変調駆動信号Ｄｒ１，Ｄｒ２、Ｄｒ３，Ｄｒ４をそれぞれ生成して、光変調器２２を駆動するように構成されている。以上のような接続構成が図１に示した光送信器１４と異なる点であり、その他の構成は、前述した第１の実施形態と同一となっている。
【０１５７】
本第２実施形態における光送信器１５の動作は、相互に他方の同期駆動部３３Ａ又は３３Ｂを経由して転送される基準クロック信号Ｃ１又はＣ２が、切換えスイッチの切り換えなしで一方と他方の各同期駆動部３３Ａ及び３３Ｂの各端子Ｔ３ａ及びＴ４ｂに入力されるので、各位相補間回路４２，７２及び各位相同期回路４４及び７４は、それぞれ他方の駆動回路３３Ａ又は３３Ｂ側の動作中に位相調整動作を停止することなく、継続して位相同期の調整動作を続けることが可能となる。
その他の構成およびその作用効果は、前述した第１の実施形態の場合と同一となっている。
【０１５８】
本第２の実施形態では、図１に示したような経路切換えスイッチ４０及び７０と切換え制御回路３６とを備えていないので、構成が簡略化されて小型化が可能であり、また低消費電力化が実現される。
【０１５９】
即ち、一方と他方の各同期駆動部３３Ａ及び３３Ｂにて高精度に位相同期したタイミングクロック信号をそれぞれ生成することができる。従って、本第２実施形態における一方と他方の各同期駆動部３３Ａ及び３３Ｂは、それぞれが同期して動作することが可能となり、これら高精度に同期したタイミングクロック信号を基準とする駆動信号生成処理を行って、タイミングが揃った変調駆動信号を高精度に生成し、出力することができる。
【０１６０】
そして、このような変調駆動信号を使用して光変調器２２を駆動することより、入力データ信号に応じてそれぞれ変調された２つの光信号の強度バランスが揃い、それらの光信号を結合した光変調信号の精度が高く良好なものになるという効果がある。従って、高精度に変調された光変調信号を光変調器２２から出力させることができ、通信品質の向上に大きく寄与するという作用効果がある。
【０１６１】
また、本第２の実施形態では、特に、一方と他方の各同期駆動部３３Ａ及び３３Ｂが交互に位相調整動作を行うという制約がないので、各同期駆動部３３Ａ及び３３Ｂが継続して位相同期の調整制御を行うことができるので、位相調整に要する全体の時間が短縮化されるという効果がある。
【０１６２】
〔第３の実施形態〕
次に、本発明の第３実施形態を、図９に基づいて説明する。
ここで、前述した第２実施形態（図８）の場合と同一の構成部材については同一の符号を用いるものとする。
【０１６３】
この図９において、本第３実施形態における光送信器８２は、前述した第２実施形態における光送信器１５の場合と同様に、図２に示した光通信装置１０内の光送信器１４に代えて光通信装置１０内に備えられており、送信信号処理部１２と共に光通信装置１０を構成している。
【０１６４】
図９において、本第３の実施形態における光送信器８２は、前述した第２実施形態における一方と他方の各同期駆動部３３Ａ及び３３Ｂからそれぞれ位相同期回路４４及び７４を取り除いて、位相補間回路４２及び７２の出力をそれぞれ各Ｄ型フリップフロップ回路６０Ａ及び７６Ａに直接接続した構成となっている。
【０１６５】
本第３の実施形態における光送信器８２の各構成により、各位相補間回路４２及び７２にて生成される中間位相信号（同期設定クロック）ＯＵＴ１及びＯＵＴ２がそれぞれ各Ｄ型フリップフロップ回路６０Ａ及び７６Ａに対して、クロックタイミングとして入力される。各Ｄ型フリップフロップ回路６０Ａ及び７６Ａでは、これら中間位相信号（同期設定クロック）ＯＵＴ１及びＯＵＴ２を使用して、送信信号処理部１２（図２参照）から出力されるＩ信号Ｄ１及びＱ信号Ｄ２が、それぞれタイミングクロック信号ＯＵＴ１及びＯＵＴ２の各クロックタイミングに応じて遅延される。
【０１６６】
各Ｄ型フリップフロップ回路６０Ａ及び７６Ａにて遅延されたＩ信号及び反転Ｉと、Ｑ信号Ｑ信号及び反転Ｑ信号とは、それぞれドライバ６２及び６４と、ドライバ７８及び８０に出力され、各ドライバ６２，６４、７８，８０にて駆動信号が、前述した第２実施形態の場合と同様に生成される。こうして生成された変調駆動信号Ｄｒ１乃至Ｄｒ４が前述した第２実施形態の場合と同様に光変調器２２の各電界設置電極Ｅ１乃至Ｅ４に印加されることにより、入力データ信号に応じて強度変調された光信号が合波部３０を通して光ファイバＦに出力される。
【０１６７】
その他の構成及びその動作は、前述した第２実施形態の場合と同一となっている。
【０１６８】
以上説明したように、本第３の実施形態では、上述した第２の実施形態における光送信器７０と同様に、経路切換えスイッチ４０及び７０と切換え制御回路３６とを備えていないので構成が簡略化されて小型化が可能であり、低消費電力化が実現される効果がある。
【０１６９】
また、各駆動回路８４ａ及び８４ｂは、同期して動作することが可能となり、これら高精度に位相同期したタイミングクロック信号を基準とする駆動信号生成処理を行って、タイミングがそろった駆動信号を高精度に生成し、出力することができる。
【０１７０】
このような駆動信号を使用して光変調器２２を駆動することより、入力データ信号に応じてそれぞれ変調された２つの光信号の強度バランスが揃い、それら光信号を結合した光変調信号の精度が高く良好なものとなる。従って、高精度に変調された光変調信号を光変調器２２から出力させることができ、通信品質が向上するという作用効果がある。
【０１７１】
また、本第３の実施形態では、２つの駆動回路８４ａ及び８４ｂが交互に調整動作を交互に行うという制約がないので、それぞれが継続して位相同期の調整制御を行うことができるので、位相調整に要する全体の時間が短縮化されるという効果がある。
【０１７２】
更に、本第３の実施形態では、上述したように位相同期回路４４及び７４を備えていないので、構成が簡略化されて小型化が可能であり、また、低消費電力化が実現されるという効果がある。
【０１７３】
ここで、第１乃至第３の実施形態では、クロック信号発生回路３４が１本の出力経路を備えた場合を例示し、途中の分岐点Ｐにて分岐し、分岐された一方と他方の各経路の他端をそれぞれ一方と他方の各同期駆動部３２Ａ，３２Ｂ、３３Ａ，３３Ｂ、８４Ａ，８４Ｂに接続した場合を例示したが、本発明はこれに限らず、クロック信号発生回路３４に２系統の出力端子を設けて、各出力端子にそれぞれ別個のトラスミッションラインを接続し、各トランスミッションラインの他端を前記一方と他方の各同期駆動部３２Ａ，３２Ｂ、３３Ａ，３３Ｂ、８４Ａ，８４Ｂの入力端子Ｔ１及びＴ２にそれぞれ接続するようにしてもよい。
【０１７４】
又、上述した第１乃至第３の各実施形態における動作にあって、上記各工程で実行される各実行内容をプログラム化し、そのプログラムをコンピュータに機能させるようにしてもよい。この場合、本プログラムは、非一時的な記録媒体、例えば、ＤＶＤ（商標）、ＣＤ（商標）、フラッシュメモリなどに読み出し可能に記録されてもよい。その場合、本プログラムは、記録媒体からコンピュータによって読み出され、実行される。
【０１７５】
以上、実施の形態を参照して本願発明を説明したが、本願発明は上記によって限定されるものではない。本願発明の構成や詳細には、発明のスコープ内で当業者が理解し得る様々な変更をすることができる。
【０１７６】
上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。
また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１７７】
この出願は、２０１１年５月１３日に出願された日本出願特願２０１１−１０８１７３を基礎とする優先権を主張し、その開示の全てをここに取り込む。
【０１７８】
上述した各実施形態については、その新規な技術内容をまとめると、以下の付記のようになる。
【０１７９】
ここで、上記各実施形態の一部または全部は、新規な技術として以下の付記１乃至付記１３のようにまとめられるが、本発明は必ずしもこれに限定されるものではない。
【０１８０】
（付記１）＜システムで一般化（位相同期調整回路なし）＞
複数のデータを位相同期して送信する一方と他方の各送信処理デバイスと、この各送信処理デバイスに対してその各送信動作を同期制御する一方と他方の同期駆動手段とを備え、
前記一方と他方の各同期駆動手段は、
前記各送信処理デバイスの動作タイミングを設定する基準クロックを予め設定された一方と他方の経路を介してそれぞれ外部入力すると共にこれを位相補間処理して同期設定クロックを生成する位相補間回路と、
この同期設定クロックをタイミングクロックとして入力すると共にこれに基づいて対応する前記各送信処理デバイスのデータ送信動作のタイミングを別に入力される送信用のデータ信号を介して同期設定する同期設定回路とを、それぞれ備え、
前記各同期駆動手段は、前記同期設定クロックの生成に先立って、前記基準クロックを予め設定された転送経路を介してそれぞれ前記他の同期駆動手段へ転送クロックとして送り込むと共に、
前記各位相補間回路は、前記同期設定クロックの生成に際し、それぞれ前記基準クロックと前記他の同期駆動手段から送られてくる転送クロックとの位相差の中心の中間位相を演算すると共に、当該中間位相に基づいて前記同期設定クロックを生成する機能を備えている信号同期送信システム。
【０１８１】
（付記２）＜同期送信システム／光変調器に適用＞
付記１に記載の信号同期送信システムにおいて、
前記一方と他方の各送信処理デバイスを、それぞれ一定の共通光源からのレーザ光を送信用の前記データ信号に基づいて変調した後にこれを合成して外部出力するように設定された一方と他方の各光位相変調回路で構成すると共に、
前記各同期設定回路は、前記位相補間回路から出力される前記タイミングクロックのタイミングで稼働し、送信用の前記データ信号を、前記光位相変調回路用の駆動信号である電圧パルスに変換すると共に、これを対応する前記一方又は他方の各位相補間回路の各アームに送り込む機能を備えていることを特徴とした信号同期送信システム。
【０１８２】
（付記３）＜システム／位相同期調整回路を追加＞
付記１又は２に記載の信号同期送信システムにおいて、
前記各同期駆動手段の位相補間回路と同期設定回路との間に、位相同期調整回路をそれぞれ設けると共に、
前記タイミングクロックの特定に際しては、前記各位相同期調整回路は、前記外部入力される各基準クロックを前記位相補間回路から出力される中間位相の同期設定クロックに同期させるように調整すると共に、この同期調整された基準クロックを前記タイミングクロックとして対応する前記各同期設定回路に送り込むように構成したことを特徴とする信号同期送信システム。
【０１８３】
（付記４）＜システム／クロックの切換え転送＞
付記１又は２に記載の信号同期送信システムにおいて、
前記各同期駆動手段に、当該自己の同期駆動手段に取り込んだ前記基準クロックを前記転送経路を介して他の同期駆動手段の前記位相補間回路に転送クロックとして交互に送り込む切換えスイッチを、それぞれ装備したことを特徴とした信号同期送信システム。
【０１８４】
（付記５）＜スイッチ切換え制御手段＞
付記４に記載の信号同期送信システムにおいて、
前記各切換えスイッチを、前記各同期駆動手段相互間で前記転送経路を介して連通した状態に設定すると共に同期切り換え動作が可能な状態に配線し、
この各切換えスイッチに、当該各切換えスイッチの動作を同一のタイミングで同時に切り換え制御する切換え制御手段を併設したことを特徴とする信号同期送信システム。
【０１８５】
（付記６）＜同期設定回路＞
付記２に記載の信号同期送信システムにおいて、
前記各同期設定回路を、前記タイミングクロックに従って作動し外部入力される送信用のデータ信号を光の位相０と光の位相πに対応する電圧パルスに変換して出力するＤ型フリップフロップと、この各電圧パルスを対応する前記一の光位相変調回路の各アームに個別に印加する二つのドライバとを含む構成としたことを特徴とする信号同期送信システム。
【０１８６】
（付記７）＜光変調器用同期駆動システム＞
複数のデータを位相同期して送信する一方と他方の各光位相変調回路に対してその各送信動作を同期制御する一方と他方の同期駆動手段を備えた光変調器用同期駆動システムであって、
前記一方と他方の各同期駆動手段が、前記各光位相変調回路の動作タイミングを設定するための基準クロックを予め設定された一方と他方の経路を介してそれぞれ外部入力すると共にこれを位相補間処理して同期設定クロックを生成する位相補間回路と、この生成された同期設定クロックをタイミングクロックとして入力すると共にこのタイミングクロックに基づいて対応する前記各光位相変調回路におけるデータ送信動作のタイミングを別に入力された送信用のデータ信号を介して同期設定する同期設定回路とを、それぞれ備え、
前記各同期駆動手段が、取り込んだ前記基準クロックを予め設定された転送経路を介してそれぞれ前記他の同期駆動手段へ転送クロックとして送り出す機能を有し、
前記同期設定クロックの生成に際し前記各位相補間回路は、それぞれ前記基準クロックと前記他の同期駆動手段から送られてくる前記転送クロックとの位相差の中心の中間位相を演算してその中間位相に基づいて前記同期設定クロックを生成する機能を備えていることを特徴とした光変調器用同期駆動システム。
【０１８７】
（付記８）＜方法の発明／付記１対応＞
複数のデータを位相同期して送信する一方と他方の各送信処理デバイスと、この各送信処理デバイスに対してその各送信動作を同期制御する一方と他方の同期駆動手段とを備えた信号同期送信システムにあって、
前記各送信処理デバイスの動作タイミングを設定するための基準クロックを、前記一方と他方の各同期駆動手段が予め設定された一方と他方の経路を介してそれぞれ外部入力し、
この入力された基準クロックを、前記各同期駆動手段が備えている位相補間回路が位相補間処理して同期設定クロックを生成し、
この生成された同期設定クロックをタイミングクロックとして入力し、これに基づいて対応する前記各送信処理デバイスのデータ送信動作のタイミングを同期設定すると共に、この同期設定に際しては、外部入力される送信用のデータ信号を前記送信動作のタイミングでデバイス駆動信号として対応する前記各送信処理デバイス毎に送り込むようにし、これらの各動作手順を前記各同期駆動手段の同期設定回路が実行し、
前記位相補間回路により成される前記同期設定クロックの生成に先立って、
前記各同期駆動手段に取り込まれた前記基準クロックを転送クロックとして予め設定された転送経路を介して相互に前記他の同期駆動手段へ送り込む基準クロックの転送を、前記各同期駆動手段が実行し、
前記同期設定クロックの生成時に実行される前記位相補間処理に際しては、前記基準クロックと前記他の同期駆動手段から送られてくる転送クロックとの位相差の中心の中間位相を前記各位相補間回路が演算すると共に当該中間位相に基づいて、前記各位相補間回路が前記同期設定クロックをそれぞれ生成するようにしたことを特徴とする信号同期送信方法。
【０１８８】
（付記９）＜方法の発明／位相同期調整回路を追加＞
付記８に記載の信号同期送信方法において、
前記同期設定クロックを生成する工程と前記タイミングクロックによる前記各送信処理デバイスのデータ送信動作のタイミングを同期設定する工程との間に、前記タイミングクロックを前記基準クロックに基づいて生成するタイミングクロックを生成する工程を設け、
このタイミングクロックを生成する工程では、前記各同期駆動手段に取り込まれた基準クロックの位相を、対応する前記各位相補間回路で生成された中間位相の同期設定クロックの位相に合わせる位相調整処理を、当該同期駆動手段に装備された位相同期調整回路が実行するようにし、これにより位相調整された基準クロックを前記タイミングクロックとして対応する前記同期設定回路が特定するようにしたことを特徴とする信号同期送信方法。
【０１８９】
（付記１０）＜付記２対応＞
付記８又は９に記載の信号同期送信方法において、
前記一方と他方の各送信処理デバイスを、それぞれ一定の共通光源から発するレーザ光を変調した後にこれを合成して外部出力するように設定された一方と他方の各光位相変調回路とすると共に、前記一方と他方の各光位相変調回路に対する変調駆動信号であるデータ信号の同期設定に際しては、
前記各同期駆動手段における各位相補間回路から出力される前記タイミングクロックのタイミングで稼働し、外部入力される送信用のデータ信号を前記タイミングクロックのタイミングで前記各光位相変調回路用の電圧パルスに変換すると共に、これを対応する前記一方又は他方の光位相変調回路の各アームに送り込む動作を、前記各同期設定回路が実行するようにしたことを特徴とする信号同期送信方法。
【０１９０】
（付記１１）＜プログラム発明／付記８対応＞
複数のデータを位相同期して送信する一方と他方の各送信処理デバイスの動作タイミングを設定する基準クロックを、予め設定された一方と他方の経路を介して各送信処理デバイス毎に外部入力し、各送信処理デバイスに対してその各送信動作を同期制御する一方と他方の各同期駆動手段側で保持する基準クロック入力処理機能、
この入力された基準クロックを位相補間処理して前記各送信処理デバイス用の同期設定クロックを対応する送信処理デバイス毎に生成しこれを前記一方と他方の各同期駆動手段側で保持する同期設定クロック生成処理機能、
およびこの生成された各同期設定クロックをタイミングクロックとして特定し、これに基づいて対応する前記各送信処理デバイスのデータ送信動作のタイミングを同期設定すると共に、別に外部入力される送信用のデータ信号をデバイス駆動信号として前記データ送信動作のタイミングで対応する前記各送信処理デバイスに各別に送り込むデータ信号同期設定処理機能、を設け、
前記タイミングクロック生成処理機能に、
予め前記一方と他方の経路を介してそれぞれ別々に取り込んだ前記基準クロックを予め設定された転送経路を介して転送クロックとして相互に前記他の送信処理デバイス側へ送り込む基準クロック転送処理機能、を併設し、
前記同期設定クロック生成処理機能では、
当該同期設定クロック生成処理機能の実行時に成される前記各位相補間処理に際しては、前記自己の基準クロックと前記他の送信処理デバイス側から送られてくる前記転送クロックとの位相差の中心の中間位相を演算すると共に、当該中間位相に基づいて前記同期設定クロックを生成するようにし、
これらの各処理機能を、前記一方と他方の各同期駆動手段が備えているコンピュータにそれぞれ同期して実現させるようにしたこと特徴とする信号同期送信プログラム。
【０１９１】
（付記１２）＜プログラム発明／位相同期調整処理を追加＞
付記１０に記載の信号同期送信プログラムにおいて、
前記同期設定クロック生成処理機能に、
前記タイミングクロックを、前記基準クロックに基づいて生成処理するタイミングクロック生成処理機能を併設し、
このタイミングクロック生成処理機能を、前記各位相補間処理により生成される中間位相の同期設定クロックの位相に、対応する前記各同期駆動手段側に取り込まれた基準クロックの位相を合わせる位相同期調整処理機能と、これにより位相調整された前記基準クロックを前記タイミングクロックとして設定するタイミングクロック設定処理機能と含む構成とし、
これらを前記コンピュータにそれぞれ同期して実現させるようにしたこと特徴とする信号同期送信プログラム。
【０１９２】
（付記１３）＜付記１０対応＞
付記１１又は１２に記載の信号同期送信プログラムにおいて、
前記一方と他方の各送信処理デバイスを、それぞれ共通のレーザ光源から発するレーザ光を変調した後にこれを合成して外部出力するように設定された一方と他方の各光位相変調回路とし、
前記データ信号同期設定処理機能では、
外部入力される前記各送信用のデータ信号を前記タイミングクロックのタイミングで対応する前記光位相変調回路用の電圧パルスに変換すると共に、これを光位相変調回路用の駆動信号として対応する前記一方又は他方の光位相変調回路の各アームに送り込む駆動信号送信処理機能を備えた構成とし、
これらの各処理機能を対応する前記各コンピュータに実現させるようにしたこと特徴とする信号同期送信プログラム。
【０１９３】
（付記１４）＜修正前の請求項１＞
複数のデータを位相同期して送信する一方と他方の各送信処理デバイスと、この各送信処理デバイスに対してその各送信動作を同期制御する一方と他方の同期駆動部とを備えた信号同期送信システムであって、
前記一方と他方の各同期駆動部が、前記各信号処理デバイスの動作タイミングを設定する基準クロックを予め設定された一方と他方の経路又はこれと転送経路とを介してそれぞれ外部入力すると共にこれを位相補間処理して同期設定クロックを生成する位相補間回路と、この同期設定クロックをタイミングクロックとして入力すると共にこれに基づいて対応する前記各信号処理デバイスのデータ送信動作のタイミングを別に入力される送信用のデータ信号を介して同期設定する同期設定回路とを、それぞれ備え、
前記各同期駆動部は、前記同期設定クロックの生成に先立って、前記基準クロックを前記転送経路を介してそれぞれ他の同期駆動部へ転送クロックとして送り込むと共に、
前記同期設定クロックの生成に際し前記各位相補間回路は、それぞれ前記基準クロックと前記他の同期駆動部から送られてくる転送クロックとの位相差の中心の中間位相を演算すると共に当該中間位相に基づいて前記同期設定クロックを生成する機能を備えていることを特徴とした信号同期送信システム。
【０１９４】
（付記１５）＜修正前の請求項２＞
請求項１に記載の信号同期送信システムにおいて、
前記一方と他方の各信号処理デバイスを、それぞれ一定の共通光源からのレーザ光を送信用の前記データ信号に基づいて変調した後にこれを合成して外部出力するように設定された一方と他方の各光位相変調回路で構成すると共に、
前記各同期設定回路が、前記位相補間回路に付勢されて稼働し送信用の前記データ信号を前記タイミングクロックのタイミングで前記光位相変調回路の駆動信号である電圧パルスに変換すると共に、これを対応する前記一方又は他方の各位相補間回路の各アームに送り込む機能を備えていることを特徴とした信号同期送信システム。
【０１９５】
（付記１６）＜修正前の請求項７＞
複数のデータを位相同期して送信する一方と他方の各光位相変調回路に対してその各送信動作を同期制御する一方と他方の同期駆動部を備えた光変調器用同期駆動システムであって、
前記一方と他方の各同期駆動部が、前記各光位相変調回路の動作タイミングを設定するための基準クロックを予め設定された一方と他方の経路又はこれと転送経路とを介してそれぞれ外部入力すると共にこれを位相補間処理して同期設定クロックを生成する位相補間回路と、この生成された同期設定クロックをタイミングクロックとして入力すると共にこのタイミングクロックに基づいて対応する前記各光位相変調回路におけるデータ送信動作のタイミングを別に入力された送信用のデータ信号を介して同期設定する同期設定回路とを、それぞれ備え、
前記各同期駆動部が、前記同期設定クロックの生成に先立って前記基準クロックを予め設定された転送経路を介してそれぞれ前記他の同期駆動部へ転送クロックとして送り出す機能を有し、
前記同期設定クロックの生成に際し、前記各位相補間回路は、それぞれ前記基準クロックと前記他の同期駆動部から送られてくる前記転送クロックとの位相差の中心の中間位相を演算してその中間位相に基づいて前記同期設定クロックを生成する機能を備えていることを特徴とした光変調器用同期駆動システム。
【産業上の利用可能性】
【０１９６】
光変調回路に限定されることなく、複数の信号を同期して送信する全ての通信分野で利用可能である。
【符号の説明】
【０１９７】
１０，１６  光通信装置
１２  送信信号処理部
１４，１５，８２  光送信器
２０  レーザ・ダイオード
２２  光変調器
２６Ａ，２６Ｂ  光位相変調回路
３２Ａ，３２Ｂ、３３Ａ，３３Ｂ、８４Ａ，８４Ｂ  同期駆動部
３４  クロック信号発生回路（クロック発生回路）
３６  切換え制御回路
４０，７０  経路切換えスイッチ（経路切換え回路）
４２，７２  位相補間回路
４４、７４  位相同期調整回路
６０，７６  同期設定回路
６０ａ，７６ａ  Ｄ型フリップフロップ回路
６２，６４、７８，８０  ドライバ回路（ドライバ）
Ｃ１，Ｃ２  基準クロック
ＣＬ１１，ＣＬ３１  タイミングクロック
Ｄｒ１，Ｄｒ２、Ｄｒ３，Ｄｒ４  変調駆動信号
ＯＵＴ１  同期設定クロック
Ｐ  分岐点
ＴＬ１ａ  一方の経路（トランスミッションライン）
ＴＬ１ｂ  他方の経路（トランスミッションライン）
ＴＬ２    転送経路
ＴＬ２ａ  一方の転送経路
ＴＬ２ｂ  他方の転送経路
【図１】
2012157182.tif 000003
【図２】
2012157182.tif 000004
【図３】
2012157182.tif 000005
【図４】
2012157182.tif 000006
【図５】
2012157182.tif 000007
【図６】
2012157182.tif 000008
【図７】
2012157182.tif 000009
【図８】
2012157182.tif 000010
【図９】
2012157182.tif 000011
【図１０】
2012157182.tif 000012
【手続補正書】
【提出日】平成25年11月7日(2013.11.7)
【手続補正１】
【補正対象書類名】特許請求の範囲
【補正対象項目名】全文
【補正方法】変更
【補正の内容】
【特許請求の範囲】
【請求項１】
複数のデータを位相同期して送信する一方と他方の各送信処理デバイスと、
この各送信処理デバイスに対してその各送信動作を同期制御する一方と他方の同期駆動手段とを具備し、
前記一方と他方の各同期駆動手段は、
前記各送信処理デバイスの動作タイミングを設定する基準クロックを、それぞれ一方又は他方の経路を介して外部入力すると共に、これを位相補間処理して同期設定クロックを生成する位相補間回路と、
この同期設定クロックをタイミングクロックとして入力すると共に、これに基づいて、対応する前記各信号処理デバイスのデータ送信動作のタイミングを、別に入力される送信用のデータ信号を介して同期設定する同期設定回路とを、それぞれ有し、
前記各同期駆動手段は、前記同期設定クロックの生成に先立って、前記基準クロックを、転送経路を介してそれぞれ前記他方の同期駆動手段へ転送クロックとして送り込むと共に、
前記各位相補間回路は、前記同期設定クロックの生成に際し、それぞれ前記基準クロックと前記他方の同期駆動手段から送られてくる転送クロックとの位相差の中心の中間位相を演算すると共に、当該中間位相に基づいて前記同期設定クロックを生成する機能を備えている信号同期送信システム。
【請求項２】
請求項１に記載の信号同期送信システムにおいて、
前記一方と他方の各送信処理デバイスを、それぞれ一定の共通光源からのレーザ光を送信用の前記データ信号に基づいて変調した後にこれを合成して外部出力するように設定された一方と他方の各光位相変調回路で構成すると共に、
前記各同期設定回路は、前記位相補間回路にから出力される前記タイミングクロックのタイミングで稼働し、送信用の前記データ信号を前記光位相変調回路の駆動信号である電圧パルスに変換すると共に、これを対応する前記一方又は他方の各位相補間回路の各アームに送り込む機能を備えていることを特徴とした信号同期送信システム。
【請求項３】
請求項１又は２に記載の信号同期送信システムにおいて、
前記各同期駆動手段の位相補間回路と同期設定回路との間に、位相同期調整回路をそれぞれ設けると共に、
前記タイミングクロックの特定に際しては、前記各位相同期調整回路が、前記外部入力される各基準クロックを前記位相補間回路から出力される中間位相の同期設定クロックに同期させるように調整すると共に、この同期調整された基準クロックを前記タイミングクロックとして対応する前記各同期設定回路に送り込むように構成したことを特徴とする信号同期送信システム。
【請求項４】
請求項１又は２に記載の信号同期送信システムにおいて、
前記各同期駆動手段に、当該自己の同期駆動手段に取り込んだ前記基準クロックを前記転送経路を介して他の同期駆動手段の前記位相補間回路に転送クロックとして交互に送り込む切換えスイッチを、それぞれ装備したことを特徴とした信号同期送信システム。
【請求項５】
請求項４に記載の信号同期送信システムにおいて、
前記各切換えスイッチを、前記各同期駆動手段相互間で前記転送経路を介して連通した状態に設定すると共に同期切り換え動作が可能な状態に配線し、
この各切換えスイッチに、当該各切換えスイッチの動作を同一のタイミングで同時に切り換え制御する切換え制御手段を併設したことを特徴とする信号同期送信システム。
【請求項６】
請求項２に記載の信号同期送信システムにおいて、
前記各同期設定回路は、前記タイミングクロックに従って作動し外部入力される送信用のデータ信号を光の位相０と光の位相πに対応する電圧パルスに変換して出力するＤ型フリップフロップと、この各電圧パルスを対応する一の前記光位相変調回路の各アームに個別に印加する二つのドライバとを備えていることを特徴とした信号同期送信システム。
【請求項７】
複数のデータを位相同期して送信する一方と他方の各光位相変調回路に対してその各送信動作を同期制御する一方と他方の同期駆動手段を具備し、
前記一方と他方の各同期駆動手段は、
前記各光位相変調回路の動作タイミングを設定するための基準クロックを、それぞれ一方又は他方の経路を介してそれぞれ外部入力すると共に、これを位相補間処理して同期設定クロックを生成する位相補間回路と、
この生成された同期設定クロックをタイミングクロックとして入力すると共に、このタイミングクロックに基づいて、対応する前記各光位相変調回路におけるデータ送信動作のタイミングを、別に入力された送信用のデータ信号を介して同期設定する同期設定回路とを、それぞれ備え、
前記各同期駆動手段は、前記同期設定クロックの生成に先立って前記基準クロックを予め設定された転送経路を介してそれぞれ前記他方の同期駆動手段へ転送クロックとして送り出す機能を有し、
前記各位相補間回路は、前記同期設定クロックの生成に際し、それぞれ前記基準クロックと前記他方の同期駆動手段から送られてくる前記転送クロックとの位相差の中心の中間位相を演算して、その中間位相に基づいて前記同期設定クロックを生成する機能を備えていることを特徴とした光変調器用同期駆動システム。
【請求項８】
複数のデータを位相同期して送信する一方と他方の各送信処理デバイスの動作タイミングを設定するための基準クロックを、前記各送信処理デバイスに対してその各送信動作を同期制御する一方と他方の各同期駆動手段が予め設定された一方と他方の経路を介してそれぞれ外部入力し、
この入力された基準クロックを、前記各同期駆動手段が備えている位相補間回路が位相補間処理して同期設定クロックを生成し、
この生成された同期設定クロックをタイミングクロックとして入力し、これに基づいて対応する前記各送信処理デバイスのデータ送信動作のタイミングを同期設定すると共に、この同期設定に際しては、外部入力される送信用のデータ信号を前記送信動作のタイミングでデバイス駆動信号として対応する前記各送信処理デバイスに送り込むようにし、これらの各動作手順を前記各同期駆動手段の同期設定回路が実行し、
前記位相補間回路により成される前記同期設定クロックの生成に先立って、
前記各同期駆動手段に取り込まれた前記基準クロックを転送クロックとして予め設定された転送経路を介して相互に前記他方の同期駆動手段へ送り込む基準クロックの転送を、前記各同期駆動手段が実行し、
前記同期設定クロックの生成時に実行される前記位相補間処理に際しては、前記基準クロックと前記他方の同期駆動手段から送られてくる転送クロックとの位相差の中心の中間位相を前記各位相補間回路が演算すると共に当該中間位相に基づいて、前記各位相補間回路が前記同期設定クロックをそれぞれ生成するようにしたことを特徴とする信号同期送信システムの信号同期送信方法。
【請求項９】
請求項８に記載の信号同期送信方法において、
前記一方と他方の各送信処理デバイスを、それぞれ共通のレーザ光源から発するレーザ光を変調した後にこれを合成して外部出力するように設定された一方と他方の各光位相変調回路とすると共に、前記一方と他方の各光位相変調回路に対する変調駆動信号であるデータ信号の同期設定に際しては、
前記各同期駆動手段における各位相補間回路からの前記タイミングクロックのタイミングで稼働し、外部入力される送信用のデータ信号を前記各光変調回路用の電圧パルスに変換し、しかる後、これを対応する前記一方又は他方の光変調器の各アームに送り込む動作を、前記各同期設定回路が実行するようにしたことを特徴とする信号同期送信方法。
【請求項１０】
複数のデータを位相同期して送信する一方と他方の各送信処理デバイスの動作タイミングを設定する基準クロックを予め設定された一方と他方の経路を介して各送信処理デバイスに外部入力し前記各送信処理デバイスに対してその各送信動作を同期制御する一方と他方の各同期駆動手段側で保持する基準クロック入力処理、
この入力された基準クロックを位相補間処理して、前記各送信処理デバイス用の同期設定クロックを対応する送信処理デバイス毎に生成し、これを前記一方と他方の各同期駆動手段側で保持する同期設定クロック生成処理、
およびこの生成された各同期設定クロックをタイミングクロックとして特定し、これに基づいて対応する前記各送信処理デバイスのデータ送信動作のタイミングを同期設定すると共に、別に入力される送信用のデータ信号をデバイス駆動信号として前記データ送信動作のタイミングで対応する前記各送信処理デバイスに各別に送り込むデータ信号同期設定処理、を設け、
前記同期設定クロック生成処理に、
予め前記一方と他方の経路を介してそれぞれ別々に取り込んだ前記基準クロックを、予め設定された転送経路を介して転送クロックとして相互に他の送信処理デバイス側へ送り込む基準クロック転送処理、を併設し、
前記同期設定クロック生成処理では、
当該同期設定クロック生成処理の実行時に成される前記各位相補間処理に際しては、自己の基準クロックと前記他方の送信処理デバイス側から送られてくる前記転送クロックとの位相差の中心の中間位相を演算すると共に、当該中間位相に基づいて前記同期設定クロックを生成するようにし、
これらの各処理を、前記一方と他方の各同期駆動手段が備えているコンピュータにそれぞれ同期して実現させるようにしたこと特徴とする信号同期送信プログラム。
【手続補正３】
【補正対象書類名】明細書
【補正対象項目名】０００１
【補正方法】変更
【補正の内容】
【０００１】
本発明は、信号同期送信システム、光変調器用同期駆動システム、信号同期送信方法及びそのプログラムに係り、特に、複数のデータを位相同期して送信する一方と他方の送信処理デバイス間で当該複数データの同期送信を有効に成し得る光変調器用同期駆動システム、信号同期送信方法及びそのプログラムに関する。
【手続補正４】
【補正対象書類名】明細書
【補正対象項目名】０１８０
【補正方法】変更
【補正の内容】
【０１８０】
（付記１）
複数のデータを位相同期して送信する一方と他方の各送信処理デバイスと、この各送信処理デバイスに対してその各送信動作を同期制御する一方と他方の同期駆動手段とを備え、
前記一方と他方の各同期駆動手段は、
前記各送信処理デバイスの動作タイミングを設定する基準クロックを予め設定された一方と他方の経路を介してそれぞれ外部入力すると共にこれを位相補間処理して同期設定クロックを生成する位相補間回路と、
この同期設定クロックをタイミングクロックとして入力すると共にこれに基づいて対応する前記各送信処理デバイスのデータ送信動作のタイミングを別に入力される送信用のデータ信号を介して同期設定する同期設定回路とを、それぞれ備え、
前記各同期駆動手段は、前記同期設定クロックの生成に先立って、前記基準クロックを予め設定された転送経路を介してそれぞれ前記他方の同期駆動手段へ転送クロックとして送り込むと共に、
前記各位相補間回路は、前記同期設定クロックの生成に際し、それぞれ前記基準クロックと前記他方の同期駆動手段から送られてくる転送クロックとの位相差の中心の中間位相を演算すると共に、当該中間位相に基づいて前記同期設定クロックを生成する機能を備えている信号同期送信システム。
【手続補正５】
【補正対象書類名】明細書
【補正対象項目名】０１８１
【補正方法】変更
【補正の内容】
【０１８１】
（付記２）
付記１に記載の信号同期送信システムにおいて、
前記一方と他方の各送信処理デバイスを、それぞれ一定の共通光源からのレーザ光を送信用の前記データ信号に基づいて変調した後にこれを合成して外部出力するように設定された一方と他方の各光位相変調回路で構成すると共に、
前記各同期設定回路は、前記位相補間回路から出力される前記タイミングクロックのタイミングで稼働し、送信用の前記データ信号を、前記光位相変調回路用の駆動信号である電圧パルスに変換すると共に、これを対応する前記一方又は他方の各位相補間回路の各アームに送り込む機能を備えていることを特徴とした信号同期送信システム。
【手続補正６】
【補正対象書類名】明細書
【補正対象項目名】０１８２
【補正方法】変更
【補正の内容】
【０１８２】
（付記３）
付記１又は２に記載の信号同期送信システムにおいて、
前記各同期駆動手段の位相補間回路と同期設定回路との間に、位相同期調整回路をそれぞれ設けると共に、
前記タイミングクロックの特定に際しては、前記各位相同期調整回路は、前記外部入力される各基準クロックを前記位相補間回路から出力される中間位相の同期設定クロックに同期させるように調整すると共に、この同期調整された基準クロックを前記タイミングクロックとして対応する前記各同期設定回路に送り込むように構成したことを特徴とする信号同期送信システム。
【手続補正７】
【補正対象書類名】明細書
【補正対象項目名】０１８３
【補正方法】変更
【補正の内容】
【０１８３】
（付記４）
付記１又は２に記載の信号同期送信システムにおいて、
前記各同期駆動手段に、当該自己の同期駆動手段に取り込んだ前記基準クロックを前記転送経路を介して他の同期駆動手段の前記位相補間回路に転送クロックとして交互に送り込む切換えスイッチを、それぞれ装備したことを特徴とした信号同期送信システム。
【手続補正８】
【補正対象書類名】明細書
【補正対象項目名】０１８４
【補正方法】変更
【補正の内容】
【０１８４】
（付記５）
付記４に記載の信号同期送信システムにおいて、
前記各切換えスイッチを、前記各同期駆動手段相互間で前記転送経路を介して連通した状態に設定すると共に同期切り換え動作が可能な状態に配線し、
この各切換えスイッチに、当該各切換えスイッチの動作を同一のタイミングで同時に切り換え制御する切換え制御手段を併設したことを特徴とする信号同期送信システム。
【手続補正９】
【補正対象書類名】明細書
【補正対象項目名】０１８５
【補正方法】変更
【補正の内容】
【０１８５】
（付記６）
付記２に記載の信号同期送信システムにおいて、
前記各同期設定回路を、前記タイミングクロックに従って作動し外部入力される送信用のデータ信号を光の位相０と光の位相πに対応する電圧パルスに変換して出力するＤ型フリップフロップと、この各電圧パルスを対応する前記一の光位相変調回路の各アームに個別に印加する二つのドライバとを含む構成としたことを特徴とする信号同期送信システム。
【手続補正１０】
【補正対象書類名】明細書
【補正対象項目名】０１８６
【補正方法】変更
【補正の内容】
【０１８６】
（付記７）
複数のデータを位相同期して送信する一方と他方の各光位相変調回路に対してその各送信動作を同期制御する一方と他方の同期駆動手段を備えた光変調器用同期駆動システムであって、
前記一方と他方の各同期駆動手段が、前記各光位相変調回路の動作タイミングを設定するための基準クロックを予め設定された一方と他方の経路を介してそれぞれ外部入力すると共にこれを位相補間処理して同期設定クロックを生成する位相補間回路と、この生成された同期設定クロックをタイミングクロックとして入力すると共にこのタイミングクロックに基づいて対応する前記各光位相変調回路におけるデータ送信動作のタイミングを別に入力された送信用のデータ信号を介して同期設定する同期設定回路とを、それぞれ備え、
前記各同期駆動手段が、取り込んだ前記基準クロックを予め設定された転送経路を介してそれぞれ前記他方の同期駆動手段へ転送クロックとして送り出す機能を有し、
前記同期設定クロックの生成に際し前記各位相補間回路は、それぞれ前記基準クロックと前記他方の同期駆動手段から送られてくる前記転送クロックとの位相差の中心の中間位相を演算してその中間位相に基づいて前記同期設定クロックを生成する機能を備えていることを特徴とした光変調器用同期駆動システム。
【手続補正１１】
【補正対象書類名】明細書
【補正対象項目名】０１８７
【補正方法】変更
【補正の内容】
【０１８７】
（付記８）
複数のデータを位相同期して送信する一方と他方の各送信処理デバイスと、この各送信処理デバイスに対してその各送信動作を同期制御する一方と他方の同期駆動手段とを備えた信号同期送信システムにあって、
前記各送信処理デバイスの動作タイミングを設定するための基準クロックを、前記一方と他方の各同期駆動手段が予め設定された一方と他方の経路を介してそれぞれ外部入力し、
この入力された基準クロックを、前記各同期駆動手段が備えている位相補間回路が位相補間処理して同期設定クロックを生成し、
この生成された同期設定クロックをタイミングクロックとして入力し、これに基づいて対応する前記各送信処理デバイスのデータ送信動作のタイミングを同期設定すると共に、この同期設定に際しては、外部入力される送信用のデータ信号を前記送信動作のタイミングでデバイス駆動信号として対応する前記各送信処理デバイス毎に送り込むようにし、これらの各動作手順を前記各同期駆動手段の同期設定回路が実行し、
前記位相補間回路により成される前記同期設定クロックの生成に先立って、
前記各同期駆動手段に取り込まれた前記基準クロックを転送クロックとして予め設定された転送経路を介して相互に前記他方の同期駆動手段へ送り込む基準クロックの転送を、前記各同期駆動手段が実行し、
前記同期設定クロックの生成時に実行される前記位相補間処理に際しては、前記基準クロックと前記他方の同期駆動手段から送られてくる転送クロックとの位相差の中心の中間位相を前記各位相補間回路が演算すると共に当該中間位相に基づいて、前記各位相補間回路が前記同期設定クロックをそれぞれ生成するようにしたことを特徴とする信号同期送信方法。
【手続補正１２】
【補正対象書類名】明細書
【補正対象項目名】０１８８
【補正方法】変更
【補正の内容】
【０１８８】
（付記９）
付記８に記載の信号同期送信方法において、
前記同期設定クロックを生成する工程と前記タイミングクロックによる前記各送信処理デバイスのデータ送信動作のタイミングを同期設定する工程との間に、前記タイミングクロックを前記基準クロックに基づいて生成するタイミングクロックを生成する工程を設け、
このタイミングクロックを生成する工程では、前記各同期駆動手段に取り込まれた基準クロックの位相を、対応する前記各位相補間回路で生成された中間位相の同期設定クロックの位相に合わせる位相調整処理を、当該同期駆動手段に装備された位相同期調整回路が実行するようにし、これにより位相調整された基準クロックを前記タイミングクロックとして対応する前記同期設定回路が特定するようにしたことを特徴とする信号同期送信方法。
【手続補正１３】
【補正対象書類名】明細書
【補正対象項目名】０１８９
【補正方法】変更
【補正の内容】
【０１８９】
（付記１０）
付記８又は９に記載の信号同期送信方法において、
前記一方と他方の各送信処理デバイスを、それぞれ一定の共通光源から発するレーザ光を変調した後にこれを合成して外部出力するように設定された一方と他方の各光位相変調回路とすると共に、前記一方と他方の各光位相変調回路に対する変調駆動信号であるデータ信号の同期設定に際しては、
前記各同期駆動手段における各位相補間回路から出力される前記タイミングクロックのタイミングで稼働し、外部入力される送信用のデータ信号を前記タイミングクロックのタイミングで前記各光位相変調回路用の電圧パルスに変換すると共に、これを対応する前記一方又は他方の光位相変調回路の各アームに送り込む動作を、前記各同期設定回路が実行するようにしたことを特徴とする信号同期送信方法。
【手続補正１４】
【補正対象書類名】明細書
【補正対象項目名】０１９０
【補正方法】変更
【補正の内容】
【０１９０】
（付記１１）
複数のデータを位相同期して送信する一方と他方の各送信処理デバイスの動作タイミングを設定する基準クロックを予め設定された一方と他方の経路を介して各送信処理デバイスに外部入力し前記各送信処理デバイスに対してその各送信動作を同期制御する一方と他方の各同期駆動手段側で保持する基準クロック入力処理、
この入力された基準クロックを位相補間処理して、前記各送信処理デバイス用の同期設定クロックを対応する送信処理デバイス毎に生成し、これを前記一方と他方の各同期駆動手段側で保持する同期設定クロック生成処理、
およびこの生成された各同期設定クロックをタイミングクロックとして特定し、これに基づいて対応する前記各送信処理デバイスのデータ送信動作のタイミングを同期設定すると共に、別に入力される送信用のデータ信号をデバイス駆動信号として前記データ送信動作のタイミングで対応する前記各送信処理デバイスに各別に送り込むデータ信号同期設定処理、を設け、
前記同期設定クロック生成処理に、
予め前記一方と他方の経路を介してそれぞれ別々に取り込んだ前記基準クロックを、予め設定された転送経路を介して転送クロックとして相互に他の送信処理デバイス側へ送り込む基準クロック転送処理、を併設し、
前記同期設定クロック生成処理では、
当該同期設定クロック生成処理の実行時に成される前記各位相補間処理に際しては、自己の基準クロックと前記他方の送信処理デバイス側から送られてくる前記転送クロックとの位相差の中心の中間位相を演算すると共に、当該中間位相に基づいて前記同期設定クロックを生成するようにし、
これらの各処理を、前記一方と他方の各同期駆動手段が備えているコンピュータにそれぞれ同期して実現させるようにしたこと特徴とする信号同期送信プログラム。
【手続補正１５】
【補正対象書類名】明細書
【補正対象項目名】０１９１
【補正方法】変更
【補正の内容】
【０１９１】
（付記１２）
付記１０に記載の信号同期送信プログラムにおいて、
前記同期設定クロック生成処理に、
前記タイミングクロックを、前記基準クロックに基づいて生成処理するタイミングクロック生成処理を併設し、
このタイミングクロック生成処理を、前記各位相補間処理により生成される中間位相の同期設定クロックの位相に、対応する前記各同期駆動手段側に取り込まれた基準クロックの位相を合わせる位相同期調整処理と、これにより位相調整された前記基準クロックを前記タイミングクロックとして設定するタイミングクロック設定処理と含む構成とし、
これらを前記コンピュータにそれぞれ同期して実現させるようにしたこと特徴とする信号同期送信プログラム。
【手続補正１６】
【補正対象書類名】明細書
【補正対象項目名】０１９２
【補正方法】変更
【補正の内容】
【０１９２】
（付記１３）
付記１１又は１２に記載の信号同期送信プログラムにおいて、
前記一方と他方の各送信処理デバイスを、それぞれ共通のレーザ光源から発するレーザ光を変調した後にこれを合成して外部出力するように設定された一方と他方の各光位相変調回路とし、
前記データ信号同期設定処理では、
外部入力される前記各送信用のデータ信号を前記タイミングクロックのタイミングで対応する前記光位相変調回路用の電圧パルスに変換すると共に、これを光位相変調回路用の駆動信号として対応する前記一方又は他方の光位相変調回路の各アームに送り込む駆動信号送信処理を備えた構成とし、
これらの各処理を対応する前記各コンピュータに実現させるようにしたこと特徴とする信号同期送信プログラム。
【手続補正１７】
【補正対象書類名】明細書
【補正対象項目名】０１９３
【補正方法】変更
【補正の内容】
【０１９３】
（付記１４）
複数のデータを位相同期して送信する一方と他方の各送信処理デバイスと、この各送信処理デバイスに対してその各送信動作を同期制御する一方と他方の同期駆動部とを備えた信号同期送信システムであって、
前記一方と他方の各同期駆動部が、前記各信号処理デバイスの動作タイミングを設定する基準クロックを予め設定された一方と他方の経路又はこれと転送経路とを介してそれぞれ外部入力すると共にこれを位相補間処理して同期設定クロックを生成する位相補間回路と、この同期設定クロックをタイミングクロックとして入力すると共にこれに基づいて対応する前記各信号処理デバイスのデータ送信動作のタイミングを別に入力される送信用のデータ信号を介して同期設定する同期設定回路とを、それぞれ備え、
前記各同期駆動部は、前記同期設定クロックの生成に先立って、前記基準クロックを前記転送経路を介してそれぞれ他の同期駆動部へ転送クロックとして送り込むと共に、
前記同期設定クロックの生成に際し前記各位相補間回路は、それぞれ前記基準クロックと前記他方の同期駆動部から送られてくる転送クロックとの位相差の中心の中間位相を演算すると共に当該中間位相に基づいて前記同期設定クロックを生成する機能を備えていることを特徴とした信号同期送信システム。
【手続補正１８】
【補正対象書類名】明細書
【補正対象項目名】０１９４
【補正方法】変更
【補正の内容】
【０１９４】
（付記１５）
請求項１に記載の信号同期送信システムにおいて、
前記一方と他方の各信号処理デバイスを、それぞれ一定の共通光源からのレーザ光を送信用の前記データ信号に基づいて変調した後にこれを合成して外部出力するように設定された一方と他方の各光位相変調回路で構成すると共に、
前記各同期設定回路が、前記位相補間回路に付勢されて稼働し送信用の前記データ信号を前記タイミングクロックのタイミングで前記光位相変調回路の駆動信号である電圧パルスに変換すると共に、これを対応する前記一方又は他方の各位相補間回路の各アームに送り込む機能を備えていることを特徴とした信号同期送信システム。
【手続補正１９】
【補正対象書類名】明細書
【補正対象項目名】０１９５
【補正方法】変更
【補正の内容】
【０１９５】
（付記１６）
複数のデータを位相同期して送信する一方と他方の各光位相変調回路に対してその各送信動作を同期制御する一方と他方の同期駆動部を備えた光変調器用同期駆動システムであって、
前記一方と他方の各同期駆動部が、前記各光位相変調回路の動作タイミングを設定するための基準クロックを予め設定された一方と他方の経路又はこれと転送経路とを介してそれぞれ外部入力すると共にこれを位相補間処理して同期設定クロックを生成する位相補間回路と、この生成された同期設定クロックをタイミングクロックとして入力すると共にこのタイミングクロックに基づいて対応する前記各光位相変調回路におけるデータ送信動作のタイミングを別に入力された送信用のデータ信号を介して同期設定する同期設定回路とを、それぞれ備え、
前記各同期駆動部が、前記同期設定クロックの生成に先立って前記基準クロックを予め設定された転送経路を介してそれぞれ前記他方の同期駆動部へ転送クロックとして送り出す機能を有し、
前記同期設定クロックの生成に際し、前記各位相補間回路は、それぞれ前記基準クロックと前記他方の同期駆動部から送られてくる前記転送クロックとの位相差の中心の中間位相を演算してその中間位相に基づいて前記同期設定クロックを生成する機能を備えていることを特徴とした光変調器用同期駆動システム。
【国際調査報告】
2012157182.tif 000013
2012157182.tif 000014